(57)【特許請求の範囲】
【請求項１】
バッテリーで駆動されるバッテリー駆動装置の前記バッテリーに対して充電を行うための充電装置と、
前記充電装置が設けられている施設に備えられる施設装置と、
前記充電装置および前記施設装置に接続される制御装置と
を備える充電管理システムであって、
前記充電装置は、
利用識別情報の第１の入力を受け付ける第１の受付手段と、
前記第１の受付手段で受け付けた前記利用識別情報の第１の入力を前記制御装置に送信する第１の送信手段と、
を備え、
前記施設装置は、
利用識別情報の第２の入力を受け付ける第２の受付手段と、
前記第２の受付手段で受け付けた前記利用識別情報の第２の入力を前記制御装置に送信する第２の送信手段と、
を備え、
前記制御装置は、
前記充電装置から受信した前記利用識別情報の第１の入力と、前記施設装置から受信した前記利用識別情報の第２の入力とが一致したときに、当該一致した前記利用識別情報の第１の入力が受け付けられた前記充電装置での前記バッテリー駆動装置の前記バッテリーに対する充電を実行させるように制御する制御手段を備える
ことを特徴とする充電管理システム。
【請求項２】
前記施設装置は、利用者の操作に基づき稼働状況になる装置であって、前記稼働状況になっていることを検出する検出手段を備えると共に、前記検出手段で稼働状況を検出したときには前記制御装置に稼働状況情報を送信する手段を備え、
前記制御装置は、前記利用識別情報の第１の入力と、前記利用識別情報の第２の入力とが一致したときであって、前記施設装置からの前記稼働状況情報に基づき前記施設装置が稼働状況にある間だけ、前記充電装置での前記バッテリー駆動装置の前記バッテリーに対する充電を実行させるように制御する
ことを特徴とする請求項１に記載の充電管理システム。
【請求項３】
前記施設装置は、複数個設けられ、
前記制御装置は、前記複数個の施設装置のそれぞれからの前記利用識別情報の第２の入力を受信する毎に、前記利用識別情報の第１の入力と、前記利用識別情報の第２の入力との一致判定を行う
ことを特徴とする請求項１または請求項２に記載の充電管理システム。
【請求項４】
前記制御装置は、前記利用識別情報の第１の入力を前記充電装置から受信した後、予め定められた時間以上継続して前記利用識別情報の第２の入力を受信しないときには、前記充電装置での前記バッテリー駆動装置の前記バッテリーに対する充電を不可とする
ことを特徴とする請求項１〜請求項３のいずれかに記載の充電管理システム。
【請求項５】
前記制御装置は、前記利用識別情報の第１の入力と前記利用識別情報の第２の入力とが一致したときであっても、前記施設装置からの前記稼働状況情報を監視して、前記施設装置が、予め定められた時間以上継続して稼働状況でないことを判別したときには、前記充電装置での前記バッテリー駆動装置の前記バッテリーに対する充電を不可とする
ことを特徴とする請求項２に記載の充電管理システム。
【請求項６】
前記制御装置は、前記利用識別情報の第１の入力および前記利用識別情報の第２の入力に基づき、前記バッテリー駆動装置のバッテリーに対する充電が実行中か否かを判別して、その判別結果に応じた充電状態の表示情報を生成する生成手段と、
前記充電装置から受信した前記利用識別情報の第１の入力と一致する前記利用識別情報の第２の入力を受信した施設装置に、前記生成手段で生成された前記表示情報を送信する手段と
を備え、
前記施設装置は、前記制御装置から送られてくる前記表示情報を表示画面に表示する表示手段を備える
ことを特徴とする請求項１〜請求項５のいずれかに記載の充電管理システム。
【請求項７】
前記充電装置は、
前記バッテリー駆動装置のバッテリーが、どの程度充電されたかの充電状況を検出する充電状況検出手段と、
前記充電状況検出手段で検出された前記バッテリーの充電状況を前記制御装置に通知する通知手段と
を備え、
前記制御装置は、
前記充電装置から通知された前記バッテリーの充電状況に応じた表示情報を生成する生成手段と、
前記充電装置から受信した前記利用識別情報の第１の入力と一致する前記利用識別情報の第２の入力を受信した施設装置に、前記生成手段で生成された前記表示情報を送信する手段と
を備え、
前記施設装置は、前記制御装置から送られてくる前記表示情報を表示画面に表示する表示手段を備える
ことを特徴とする請求項１〜６のいずれかに記載の充電管理システム。
【請求項８】
前記バッテリー駆動装置は、バッテリーで駆動される車両である
ことを特徴とする請求項１〜７のいずれかに記載の充電管理システム。
【請求項９】
バッテリーで駆動されるバッテリー駆動装置の前記バッテリーに対して充電を行うための充電装置と、
前記充電装置が設けられている施設に備えられる施設装置と、
前記充電装置および前記施設装置に接続される制御装置と
を備える充電管理システムにおける充電管理方法であって、
前記充電装置は、
利用識別情報の第１の入力を受け付ける第１の受付工程と、
前記第１の受付工程で受け付けた前記利用識別情報の第１の入力を前記制御装置に送信する第１の送信工程と、
を備え、
前記施設装置は、
利用識別情報の第２の入力を受け付ける第２の受付工程と、
前記第２の受付工程で受け付けた前記利用識別情報の第２の入力を前記制御装置に送信する第２の送信工程と、
を備え、
前記制御装置は、
前記充電装置から受信した前記利用識別情報の第１の入力と、前記施設装置から受信した前記利用識別情報の第２の入力とが一致したときに、当該一致した前記利用識別情報の第１の入力が受け付けられた前記充電装置での前記バッテリー駆動装置の前記バッテリーに対する充電を実行させるように制御する制御工程を備える
ことを特徴とする充電管理方法。
【請求項１０】
バッテリーで駆動される電動モータを備える車両の前記バッテリーに対して充電を行うための充電装置と、
前記充電装置が近傍に備えられる駐車スペースへの前記車両の進入を制御する車両侵入制御機構と、
利用識別情報の第１の入力を受け付けて、前記利用識別情報の第１の入力が予め登録された利用識別情報であるか否かにより、前記車両侵入制御機構により前記車両の侵入を制御する第１の受付装置と、
前記充電装置が設けられている施設に備えられる施設装置と、
前記充電装置、前記第１の受付装置および前記施設装置に接続される制御装置と
を備える充電管理システムであって、
前記第１の受付装置は、
前記受け付けた前記利用識別情報の第１の入力が予め登録された利用識別情報であるときに、当該受け付けた前記利用識別情報の第１の入力を前記制御装置に送信する第１の送信手段を備え、
前記充電装置は、
前記車両のバッテリー充電用コネクタに、前記充電装置の充電用プラグが接続されたことを検出したときに、前記充電用プラグが接続されたことを示す情報を前記制御装置に送信する第２の送信手段を備え、
前記施設装置は、
利用識別情報の第２の入力を受け付ける第２の受付手段と、
前記第２の受付手段で受け付けた前記利用識別情報の第２の入力を前記制御装置に送信する第３の送信手段と、
を備え、
前記制御装置は、
前記第１の受付装置から受信した前記利用識別情報の第１の入力と、前記施設装置から受信した前記利用識別情報の第２の入力とが一致し、かつ、前記充電装置からの前記充電用プラグが接続されたことを示す情報の受信を確認したときに、当該一致した前記利用識別情報の第１の入力が受け付けられた前記充電装置での前記電動モータの前記バッテリーに対する充電を実行させるように制御する制御手段を備える
ことを特徴とする充電管理システム。
【発明の詳細な説明】
【技術分野】
【０００１】
この発明は、例えばパチンコ店などの施設において、例えば電気自動車などのバッテリー駆動装置の充電サービスを提供するための充電管理システムおよび充電管理方法に関する。より詳細には、充電サービスを、施設を実際的に利用している利用者にのみ提供できるようにする発明に関する。
【背景技術】
【０００２】
バッテリーを動力源としてモータを駆動して走行する電気自動車が登場してきている。この明細書においては、電気自動車には、モータのみでなく、内燃機関（エンジン）をも搭載し、予めバッテリーに充電しておくことで、バッテリー容量内ではモータのみにより走行し、それ以上は、ハイブリッドカーとして、バッテリーを充電しながら内燃機関により走行するプラグインハイブリッドカーも含まれる。
【０００３】
電気自動車のバッテリー（車載電池）としては二次電池が用いられ、バッテリーは充電しておく必要がある。このバッテリーの充電を一般家庭用電源で充電する場合には、満充電までに５〜１４時間もかかる。しかし、専用の充電装置により急速充電を行うようにすれば、満充電までの時間は、中容量の充電装置を用いる場合には３０分〜１時間、大容量の充電装置を用いる場合には１５分〜３０分、というように比較的短時間とすることができる。
【０００４】
そこで、これらの急速充電装置を用いた電気自動車の充電サービスが考えられている。例えば、駐車場運営会社による充電サービスとして、駐車場に急速充電装置を備えておき、駐車している間にバッテリーの充電を行えるようにするサービスがある（非特許文献１参照）。
【先行技術文献】
【非特許文献】
【０００５】
【非特許文献１】http://times-info.net/map/info/service.html
【発明の概要】
【発明が解決しようとする課題】
【０００６】
ところで、上述の非特許文献１に記載の充電サービスは、駐車場運営会社の本来のサービスである有料駐車サービスに直結したプレミアサービス（おまけ）となっている。つまり、駐車スペースに車両を駐車してもらうという本来のサービスに伴って、充電サービスが受けられない仕組みとなっている。このため、充電料金を無料としても、駐車をしてもらう顧客獲得の機会を増加させることができるというメリットを享受することができる。
【０００７】
しかし、種々のサービスを提供する施設では、一般に、駐車料金は無料として顧客を吸引し、本来の提供サービスを利用してもらうことで課金する仕組みとなっている。例えばパチンコ店などの施設においては、駐車料金は無料であり、本来の提供サービスは、遊技機の有料の利用である。
【０００８】
したがって、上記非特許文献１の充電サービスをそのままパチンコ店の駐車場に適用した場合には、パチンコ店で実際には遊技機の利用をしないユーザに対しても無料の充電サービスを提供してしまうことになり、当該充電サービスが、本来の提供サービスの顧客の利用に直結しないおそれがあるという問題がある。
【０００９】
以上のことにかんがみ、この発明は、充電サービスを、施設が提供する本来の提供サービスの利用に直結するプレミアサービスとすることができる充電管理システムおよび充電管理方法を提供することを目的とする。
【課題を解決するための手段】
【００１０】
上記の課題を解決するために、この発明は、
バッテリーで駆動されるバッテリー駆動装置の前記バッテリーに対して充電を行うための充電装置と、
前記充電装置が設けられている施設に備えられる施設装置と、
前記充電装置および前記施設装置に接続される制御装置と
を備える充電管理システムであって、
前記充電装置は、
利用識別情報の第１の入力を受け付ける第１の受付手段と、
前記第１の受付手段で受け付けた前記利用識別情報の第１の入力を前記制御装置に送信する第１の送信手段と、
を備え、
前記施設装置は、
利用識別情報の第２の入力を受け付ける第２の受付手段と、
前記第２の受付手段で受け付けた前記利用識別情報の第２の入力を前記制御装置に送信する第２の送信手段と、
を備え、
前記制御装置は、
前記充電装置から受信した前記利用識別情報の第１の入力と、前記施設装置から受信した前記利用識別情報の第２の入力とが一致したときに、当該一致した前記利用識別情報の第１の入力が受け付けられた前記充電装置での前記バッテリー駆動装置の前記バッテリーに対する充電を実行させるように制御する制御手段を備える
ことを特徴とする充電管理システムを提供する。
【００１１】
上述の構成のこの発明によれば、充電装置の第１の受付手段で受け付けた利用識別情報の第１の入力と、施設装置の第２の受付手段で受け付けた利用識別情報の第２の入力とが一致したときにのみ、制御装置により充電装置でのバッテリー駆動装置のバッテリーに対する充電が実行される。したがって、施設装置を利用するユーザのバッテリー駆動装置のみを、充電サービスの対象とすることができ、充電サービスを、本来の提供サービスの利用に直結するプレミアサービスとすることができる。
【発明の効果】
【００１２】
この発明によれば、充電サービスを、本来の提供サービスの利用に直結するプレミアサービスとすることができる充電管理システムを提供することができる。
【図面の簡単な説明】
【００１３】
【図１】この発明による充電管理システムの第１の実施形態の全体構成例を示す図である。
【図２】この発明の第１の実施形態における充電装置の内部回路構成例を示すブロック図である。
【図３】この発明の第１の実施形態におけるパチンコ台ユニットの内部回路構成例を示すブロック図である。
【図４】この発明の第１の実施形態における制御装置の内部回路構成例を示すブロック図である。
【図５】図４の例の制御装置で管理される充電要求リストの一例を示す図である。
【図６】この発明の第１の実施形態の充電管理システムにおける処理動作シーケンス例を示す図である。
【図７】この発明の第１の実施形態における充電装置が実行する処理動作例を説明するためのフローチャートの一部を示す図である。
【図８】この発明の第１の実施形態における充電装置が実行する処理動作例を説明するためのフローチャートの一部を示す図である。
【図９】この発明の第１の実施形態における充電装置が実行する処理動作例を説明するためのフローチャートの一部を示す図である。
【図１０】この発明の第１の実施形態におけるパチンコ台ユニットが実行する処理動作例を説明するためのフローチャートを示す図である。
【図１１】この発明の第１の実施形態における制御装置が実行する処理動作例を説明するためのフローチャートの一部を示す図である。
【図１２】この発明の第１の実施形態における制御装置が実行する処理動作例を説明するためのフローチャートの一部を示す図である。
【図１３】この発明の第１の実施形態における制御装置が実行する処理動作例を説明するためのフローチャートの一部を示す図である。
【図１４】この発明の第１の実施形態における制御装置が実行する処理動作例を説明するためのフローチャートの一部を示す図である。
【図１５】この発明の第１の実施形態における制御装置が実行する処理動作例を説明するためのフローチャートの一部を示す図である。
【図１６】この発明の第１の実施形態における制御装置が実行する処理動作例を説明するためのフローチャートの一部を示す図である。
【図１７】この発明の第１の実施形態における制御装置が実行する処理動作例を説明するためのフローチャートの一部を示す図である。
【図１８】この発明の第１の実施形態における制御装置が実行する処理動作例を説明するためのフローチャートの一部を示す図である。
【図１９】この発明の第１の実施形態における制御装置が実行する処理動作例を説明するためのフローチャートの一部を示す図である。
【図２０】この発明の第１の実施形態における制御装置が実行する処理動作例を説明するためのフローチャートの一部を示す図である。
【図２１】この発明の第１の実施形態における制御装置が実行する処理動作例を説明するためのフローチャートの一部を示す図である。
【図２２】この発明の第２の実施形態の充電管理システムを説明するために用いる図である。
【図２３】この発明の第２の実施形態の充電管理システムを説明するために用いる図である。
【図２４】この発明の第２の実施形態の充電管理システムにおけるバー駆動制御装置の内部回路構成例を示すブロック図である。
【発明を実施するための形態】
【００１４】
［第１の実施形態］
以下、この発明による充電管理システムの第１の実施形態を、図を参照しながら説明する。この第１の実施形態は、充電管理システムが施設の例としてのパチンコ店に設置される場合の例であり、施設装置は、遊技機の例としてのパチンコ台に設けられる電子装置（以下、パチンコ台ユニットという）である。また、バッテリー駆動装置は、以下の実施形態においては、電気自動車である場合である。
【００１５】
そして、この第１の実施形態においては、パチンコ店は、会員登録をした顧客に対しては、例えばＩＣ（Integrated  Circuit；集積回路）カードからなり、少なくとも会員を一意に識別するための会員識別情報（以下、会員ＩＤという）を記憶保持する会員カードを発行する。会員は、この会員カードをパチンコ台ユニットに挿入することにより、遊技（パチンコゲーム）を行えると共に、種々のプレミアを享受することができる。この第１の実施形態の充電管理システムで提供する充電サービスは、会員に付与するプレミアの一つである。
【００１６】
なお、会員カードは、例えば電磁誘導により非接触でカードリーダ・ライタと通信をして、情報の読み書きをすることができる。また、この実施形態では、会員が、会員カードをカード挿入口から挿入することにより、会員カードと内部に設けられているカードリーダ・ライタとが通信して情報の読み書きをすることができるようにも構成されている。
【００１７】
なお、会員登録をしていない顧客は、パチンコ店からビジターカードの貸与を受け、当該ビジターカードをパチンコ台ユニットに挿入することによりパチンコ台において遊技を行うことができるが、会員に付与されるプレミアは、会員と同様には享受できない。
【００１８】
［第１の実施形態の充電管理システムの概要；図１］
図１は、この第１の実施形態の充電管理システムの全体の構成例の概要を示すものであり、複数台の充電装置１１〜１ｎ（ｎは２以上の整数）と、１台の制御装置２と、複数台のパチンコ台３１〜３ｍ（ｍは２以上の整数）とからなる。
【００１９】
充電装置１１〜１ｎのそれぞれは、この例では、１台分の車両の駐車スペース毎に設置されている。なお、充電装置１１〜１ｎが設置されている複数台分の駐車スペースのエリアは、充電サービスを受けることができる会員のみが車両を駐車できるようにするために、例えば会員カードにより開くゲートにより、他の駐車スペースのエリアとは分離しておくようにすると良い。
【００２０】
例えば、車両侵入制御バーを開閉可能に制御するバー駆動制御装置を、充電サービス用駐車エリアの入り口に設置し、会員が会員カードをバー駆動制御装置にかざす、あるいは挿入すると、バー駆動制御装置が当該会員カードを認証して、車両侵入制御バーを開状態にし、会員の車両の当該充電サービス用駐車エリアへの侵入を許可するように構成することができる。
【００２１】
複数台の充電装置１１〜１ｎと制御装置２とは、この例においては、無線ＬＡＮ（Local  Area  Network）４を通じて接続され、充電装置１１〜１ｎの各々と制御装置２との間において後述するような通知情報や制御情報の無線通信が行われる。なお、複数台の充電装置１１〜１ｎと制御装置２との間は、無線ＬＡＮ４ではなく、有線ＬＡＮにより接続するようにしても良い。
【００２２】
複数台の充電装置１１〜１ｎのそれぞれは、同一の構成を備えるので、以下の説明において、それぞれの充電装置の構成を説明するとき、また、複数台の充電装置を分けて説明する必要が無いときには、充電装置１と記載するものとする。そして、充電装置１が備える構成要素については、複数の充電装置１１〜１ｎで同じ参照番号を付与するものとする。
【００２３】
図１に示すように、充電装置１は、充電のための案内メッセージを表示したり、充電状況などを表示したりするための表示部、この例ではＬＣＤ（Liquid  Crystal  Display）１１を備える。また、この例では、充電装置１は、会員カードと非接触通信を行って会員カードのＩＣに書き込まれている情報を読み取ったり、必要な情報を会員カードＩＣに書き込んだりしたりするカードリーダ・ライタ１２を備える。
【００２４】
さらに、充電装置１は、接続ケーブル１３の先端に充電プラグ１４を備える。利用者が充電プラグ１４を電気自動車の充電用コネクタに接続することで、充電装置１は、当該電気自動車のバッテリーに対する充電を行うことができる状態になる。ただし、この例では、充電プラグ１４を電気自動車の充電用コネクタに接続して、充電装置１の操作ボタンを操作しても、充電の開始、停止などの制御はできないように構成されている。すなわち、この実施形態では、後述するように、充電装置１は、制御装置２からの充電開始指示、充電停止指示などの指示情報を受信したときに、その制御装置２からの指示に応じて、充電開始、充電停止、などの制御を実行するように構成されている。
【００２５】
図２は、充電装置１の内蔵電子回路のハードウエア構成例を示すブロック図である。充電装置１は、マイクロコンピュータで構成される制御部１０１を備える。そして、充電装置１においては、制御部１０１が、システムバス１００を通じて、充電回路部１０２、充電プラグ接続検出部１０３、充電状況判断部１０４、無線ＬＡＮインターフェース１０５、受信信号解析部１０６、送信信号生成部１０７、充電装置ＩＤ記憶部１０８、ディスプレイインターフェース１０９およびカードリーダ・ライタ１２、のそれぞれと接続されている。ディスプレイインターフェース１０９には、ＬＣＤ１１が接続される。
【００２６】
充電回路部１０２の入力端は、電源ラインに接続され、また、充電回路部１０２の出力端は、接続ケーブル１３を通じて充電プラグ１４に接続されている。充電回路部１０２は、制御部１０１からの制御信号により、その動作が制御される。そして、充電回路部１０２は、制御部１０１からの制御信号により動作状態にされると、電源ラインからの交流電流を電気自動車用の所定の直流電流（充電電流）に変換して、その充電電流を接続ケーブル１３を通じて充電プラグ１４に供給する。また、充電回路部１０２は、制御部１０１からの制御信号により非動作状態にされると、充電電流を充電プラグ１４に出力しない状態に制御される。充電プラグ１４が電気自動車の充電用コネクタに接続されていないときには、充電回路部１０２は非動作状態とされる。
【００２７】
充電プラグ接続検出部１０３は、充電プラグ１４が電気自動車の充電用コネクタに接続されたことを検出し、その検出信号をシステムバス１００を通じて制御部１０１に通知する。この例では、充電プラグ接続検出部１０３は、充電プラグ１４が電気自動車の充電用コネクタに接続されたとき、充電装置１と電気自動車との間で流れる電流を検出することにより、当該充電プラグ１４の充電用コネクタへの接続を検知する。なお、充電プラグ接続検出部１０３は、充電プラグ１４に、当該充電プラグ１４が電気自動車の充電用コネクタに接続されたときにオンとなる接続検出スイッチを設けておき、その接続検出スイッチの出力をシステムバス１００に送出する構成とするようにしても良い。
【００２８】
そして、この実施形態では、制御部１０１は、この充電プラグ接続検出部１０３で充電プラグ１４が電気自動車の充電用コネクタに接続中であることを検出しているときにのみ、充電回路部１０２の動作制御が可能となるように構成されている。
【００２９】
充電状況判断部１０４は、充電回路部１０２が動作状態となっているときの充電回路部１０２の出力電圧を監視することにより、充電プラグ１４が接続されている電気自動車のバッテリーの充電状況を判断する。そして、充電状況判断部１０４は、充電量３０％、充電量６０％、フル充電（充電完了）などの充電状況情報を、システムバス１００を通じて制御部１０１に通知する。
【００３０】
無線ＬＡＮインターフェース１０５は、無線ＬＡＮ４を通じて充電装置１と制御装置２との間で通信を行うためのものである。無線ＬＡＮインターフェース１０５は、制御装置２からの受信信号を受信すると、その受信情報を受信信号解析部１０６に送る。
【００３１】
受信信号解析部１０６は、制御装置２からの受信信号を解析して、後述するように、充電開始指示、充電停止指示、充電終了指示などの充電制御指示を判別し、判別結果をシステムバス１００を通じて制御部１０１に伝達する。制御部１０１は、その判別された指示に応じた充電制御処理を、充電回路部１０２に対して行う。
【００３２】
また、無線ＬＡＮインターフェース１０５は、送信信号生成部１０７で生成された送信信号を制御装置２に無線送信する。送信信号生成部１０７は、制御部１０１の制御の基に後述するような種々の送信信号を生成する。送信信号生成部１０７は、当該送信信号の生成の際には、常に、充電装置ＩＤ記憶部１０８に記憶されている自装置の充電装置ＩＤを、各送信信号に含める。
【００３３】
この実施形態では、充電装置１の制御部１０１は、カードリーダ・ライタ１２で会員カードから会員ＩＤが読み込まれ、かつ、充電プラグ接続検出部１０３で充電プラグ１４の電気自動車の充電用コネクタへの接続が検知されたときには、当該会員ＩＤと自装置の充電装置ＩＤとを含めた充電要求通知を送信信号生成部１０７で生成させる。そして、制御部１０１は、送信信号生成部１０７で生成された充電要求通知を制御装置２に送るように無線ＬＡＮインターフェース１０５を制御する。
【００３４】
また、この実施形態では、制御部１０１は、充電状況判断部１０４の判断結果に基づく充電状況通知を送信信号生成部１０７で生成させるように制御する。そして、制御部１０１は、送信信号生成部１０７で生成された充電状況通知を制御装置２に送るように無線ＬＡＮインターフェース１０５を制御する。なお、充電状況通知は、充電中には、例えば所定時間毎に繰り返し生成して制御装置２に送るようにしても良い。また、例えば充電量が３０％、４０％、５０％というように所定の値になったときに、制御部１０１の制御に従って送信信号生成部１０７が充電状況通知を生成して、制御装置２に送るようにしても良い。
【００３５】
なお、図２の充電装置１の構成において、充電状況判断部１０４、受信信号解析部１０６、送信信号生成部１０７のそれぞれの処理機能は、制御部１０１を構成するマイクロコンピュータが、そのソフトウエアプログラムによる実行する機能として構成することもできる。
【００３６】
次に、複数のパチンコ台３１〜３ｍのそれぞれは、パチンコ店の屋内に設置される。そして、各パチンコ台のパチンコ台ユニットは、この例においては、制御装置２に対して、有線ＬＡＮ５を通じて接続されている。なお、複数のパチンコ台３１〜３ｍのパチンコ台ユニットのそれぞれと制御装置２とは、有線ＬＡＮ５ではなく、無線ＬＡＮを通じて接続するようにしても良い。
【００３７】
複数のパチンコ第３１〜３ｍのそれぞれは、同一の構成を備えるので、以下の説明において、それぞれのパチンコ台の構成を説明するとき、また、複数のパチンコ台を分けて説明する必要が無いときには、パチンコ台３と記載するものとする。そして、パチンコ台３が備える構成要素については、複数のパチンコ台３１〜３ｍで同じ参照番号を付与するものとする。
【００３８】
図１に示すように、パチンコ台３は、遊技者の操作を受けてパチンコ玉をパチンコ台盤面に送出するハンドル３１を備えると共に、パチンコ台ユニット３２を備える。パチンコ台ユニット３２は、内部に後述するマイクロコンピュータを搭載する電子回路を備えると共に、カード挿入口３３と、表示部、この例ではＬＣＤ３４とを外部に露呈させて備えている。
【００３９】
そして、パチンコ台ユニット３２は、カード挿入口３３に会員カードが挿入されたときに、その内部に設けられているカードリーダ・ライタにより当該会員カードに記録されている会員ＩＤを含む会員情報を読み出し、制御装置２に送信する機能を備える。
【００４０】
図３は、パチンコ台ユニット３２のハードウエア構成例を示すブロック図である。パチンコ台ユニット３２は、マイクロコンピュータで構成される制御部３０１を備える。そして、パチンコ台ユニット３２においては、制御部３０１が、システムバス３００を通じて、有線ＬＡＮインターフェース３０２、受信信号処理部３０３、送信信号生成部３０４、ユニットＩＤ記憶部３０５、玉流れ検出部３０６、カードリーダ・ライタ３０７およびディスプレイインターフェース３０８、のそれぞれと接続されている。ディスプレイインターフェース３０８には、ＬＣＤ３４が接続される。
【００４１】
有線ＬＡＮインターフェース３０２は、パチンコ台ユニット３２と制御装置２との間で、有線ＬＡＮ５を通じて種々の情報の通信を行うためのものである。この有線ＬＡＮインターフェース３０２は、制御装置２からの受信信号を受信すると、その受信情報は受信信号処理部３０３に送る。
【００４２】
受信信号処理部３０３は、後述するように、制御装置２からの受信信号をデコードして、充電開始表示情報、充電停止表示情報、充電状況表示情報などを復元し、それらの表示情報をディスプレイインターフェース３０８に送る。ディスプレイインターフェース３０９８は、受信した表示情報をＬＣＤ３４に供給して対応する表示を行う。
【００４３】
また、玉流れ検出部３０６は、ユーザがハンドル３１を操作したことによりパチンコ玉がパチンコ台３の盤面に流れていることを、当該パチンコ玉の流れに応じた電気信号を検出することにより検出し、その検出結果をシステムバス３００に出力する。この玉流れ検出部３０６としては、例えば特開２００１−０４６５９２号公報に記載の「パチンコ玉検出装置」を用いることができる。玉流れ検出部３０６の構成は、上記の公報記載のものに限られるものではないことは言うまでもない。
【００４４】
そして、制御部３０１は、玉流れ検出部３０６の検出結果から、パチンコ玉がパチンコ台３の盤面に流れていると判別しているときには、送信信号生成部３０４に、ユーザが遊技中であることを示す遊技中情報を生成させる。そして、制御部３０１は、送信信号生成部３０４で生成させた遊技中情報を、有線ＬＡＮ５を通じて制御装置２に送信するように有線ＬＡＮインターフェース３０２を制御する。
【００４５】
また、制御部３０１は、玉流れ検出部３０６の検出結果から、逆に、パチンコ玉がパチンコ台３の盤面に流れていないことを検出したときには、送信信号生成部３０４でユーザが非遊技中であることを示す非遊技中情報を生成させる。そして、制御部３０１は、送信信号生成部３０４で生成させた非遊技中情報を制御装置２に送信するように有線ＬＡＮインターフェース３０２を制御する。なお、送信信号生成部３０４は、送信信号の生成の際には、常に、ユニットＩＤ記憶部３０５に記憶されている自ユニットＩＤを、各送信信号に含める。
【００４６】
なお、図３のパチンコ台ユニット３２の構成において、受信信号処理部３０３、送信信号生成部３０４のそれぞれの処理機能は、制御部３０１を構成するマイクロコンピュータが、そのソフトウエアプログラムによる実行する機能として構成することもできる。
【００４７】
次に、制御装置２は、この例では、パーソナルコンピュータ（以下、パソコンと略称する）で構成され、パチンコ店の屋内に設置される。そして、制御装置２は、この実施形態の充電管理システムにおいて、充電装置１から送られてくる情報と、パチンコ台ユニット３から送られてくる情報とに基づいて、充電装置１に対する充電制御を司ると共に、パチンコ台ユニット３に対する表示制御を司る。
【００４８】
図４は、制御装置２のハードウエア構成例を示すブロック図である。制御装置２は、ＣＰＵ（Central  Processing  Unit）とプログラムが格納されるＲＯＭ（Read  Only  Memory）とワークエリア用のＲＡＭ（Random  Access  Memory）とからなる制御部２０１に対して、システムバス２００を通じて、無線ＬＡＮインターフェース２０２、無線受信信号解析部２０３、充電制御指示生成部２０４、充電要求リスト管理部２０５、有線ＬＡＮインターフェース２０６、有線受信信号解析部２０７、表示通知情報生成部２０８、会員登録情報管理部２０９、のそれぞれと接続されている。
【００４９】
無線ＬＡＮインターフェース２０２は、無線ＬＡＮ４を通じて複数台の充電装置１との間で通信を行うためのものである。無線ＬＡＮインターフェース２０２は、充電装置１からの受信信号を受信すると、その受信情報は無線受信信号解析部２０３に送る。
【００５０】
無線受信信号解析部２０３は、各充電装置１からの受信信号を解析して、後述するように、充電要求通知、充電状況通知、充電完了通知など判別する。そして、無線受信信号解析部２０３は、充電要求通知を受信したと判別したときには、制御部２０１の制御に基づいて、充電装置ＩＤおよび会員ＩＤ１を含む当該充電要求通知を、充電要求リスト管理部２０５に転送する。また、無線受信信号解析部２０３は、充電状況通知や充電完了通知を受信したと判別したときには、制御部２０１の制御に基づいて、それらを表示通知情報生成部２０８に転送する。
【００５１】
充電要求リスト管理部２０５は、図示を省略する記憶部に充電要求リストを保持する。そして、充電要求リスト管理部２０５は、無線受信信号解析部２０３から充電要求通知を受け取ると、それに含まれる充電装置ＩＤおよび会員ＩＤを抽出して、制御部２０１の制御の基に、その充電要求を充電要求リストに登録し、登録した各充電要求について、その後の管理をする。そして、制御部２０１の制御の基に、充電要求リスト管理部２０５は、登録した充電要求についての充電が完了したり、充電要求を維持できない状態を検知したりしたときには、登録した充電要求を充電要求リストから削除する。
【００５２】
なお、以下の説明においては、パチンコ台ユニット３２から制御装置２に送られる会員ＩＤと区別するために、説明の便宜上、充電装置１から制御装置２に送られる会員ＩＤを会員ＩＤ１と称する。この会員ＩＤ１は、利用識別情報の第１の入力の一例である。
【００５３】
図５に、充電要求リストの一例を示す。図５に示すように、この例においては、各充電要求は、充電要求を送ってきた充電装置の充電装置ＩＤに対応付けられて登録される。つまり、充電要求は充電装置ＩＤ毎に登録される。図５において、ＳＴ−１、ＳＴ−２、ＳＴ−３、・・・は、それぞれ充電装置ＩＤである。
【００５４】
そして、図５の例では、充電要求リストにおいて各充電要求について充電装置ＩＤのそれぞれに対応して記憶されて管理される管理項目としては、「会員ＩＤ１」と、「充電ステータス」と、「充電状況」と、「会員カード状況」と、「ユニットＩＤ」とが用意される。
【００５５】
管理項目のうち、「会員ＩＤ１」は、充電要求が充電装置１から送られてきたときに充電要求リストに登録される。「充電ステータス」は、充電開始待機中、充電中、充電停止中など、充電要求をした充電装置１での充電状態を表わすものである。「充電状況」は、充電要求中の充電装置１に接続されている電気自動車のバッテリーが、どの程度の充電量になっているかを表わすものである。
【００５６】
「会員カード状況」は、充電装置１からの充電要求に含まれていた会員ＩＤ１が記憶されている会員カードが、いずれかのパチンコ台ユニット３２に挿入されているかどうかを表わすものである。これは、会員が充電要求をした後、実際にパチンコ遊技をするためにパチンコ台３のパチンコ台ユニット３２に会員カードを挿入しているかどうかの確認情報の役割をする。「ユニットＩＤ」は、パチンコ台ユニット３２の識別情報であり、会員が充電要求をした後、いずれのパチンコ台でパチンコ遊技をしているかを示すものとなる。
【００５７】
有線ＬＡＮインターフェース２０６は、有線ＬＡＮ５を通じて複数個のパチンコ台ユニット３２と通信するためのものである。有線ＬＡＮインターフェース２０６は、パチンコ台ユニット３２からの受信信号を受信すると、その受信情報は有線受信信号解析部２０７に送る。
【００５８】
有線受信信号解析部２０７は、パチンコ台ユニット３２からの受信信号を解析して、後述するように、カード挿入通知、遊技中情報、非遊技中情報、カード取り出し通知など判別し、その判別結果をシステムバス２００を通じて制御部２０１に通知すると共に、判別したカード挿入通知、遊技中情報、非遊技中情報、カード取り出し通知などを充電要求リスト管理部２０５に供給する。
【００５９】
制御部２０１は、有線受信信号解析部２０７でカード挿入通知、遊技中情報、非遊技中情報、カード取り出し通知などを受信したと判別すると、充電制御指示生成部２０４を制御して、充電装置１に送信する充電開始指示、充電停止指示などの充電制御指示を生成させる。そして、制御部２０１は、充電要求リスト管理部２０５に指示して、充電制御指示生成部２０４で生成された充電制御指示を送るべき充電装置１を判別させる。さらに、制御部２０１は、判別された充電装置１に、充電制御指示生成部２０４で生成された充電制御指示を無線ＬＡＮインターフェース２０２を通じ、無線ＬＡＮ４を通じて送信するように制御する。
【００６０】
表示通知情報生成部２０８は、無線受信信号解析部２０３から充電状況通知や充電完了通知の供給を受けたときには、制御部２０１の制御の基に、充電状況通知で伝達すべき充電状況の表示情報例えば「充電量３０％」などや、充電完了通知により伝達すべき「充電が完了しました」等の表示情報を生成する。そして、制御部２０１は、充電要求リスト管理部２０５に指示して、表示通知情報生成部２０８で生成された表示情報を送るべきパチンコ台ユニット３２を判別させる。そして、制御部２０１は、判別されたパチンコ台ユニット３２に、表示通知情報生成部２０８で生成された表示情報を優先ＬＡＮインターフェース２０６を通じ、有線ＬＡＮ５を通じて送信するように制御する。
【００６１】
会員登録情報管理部２０９は、会員登録情報を記憶する記憶部（図示は省略）を備える。会員登録情報には、上述した会員ＩＤの他、会員氏名、住所、さらに、会員に対する連絡先として携帯電話端末の電話番号などが含まれる。また、会員がパチンコ遊技を行った時間に応じたプレミアポイントが会員登録情報に含まれるようにしても良い。会員カードのＩＣ内のメモリには、会員登録情報管理部２０９に登録されている会員登録情報と同様の会員登録情報が記憶されている。制御部２０１は、会員カードに記憶されている会員ＩＤと、会員登録情報管理部２０９に登録されている会員ＩＤとを照合することにより、会員カードの所有者が会員であるか否かを判断する。
【００６２】
なお、図４の制御装置２の構成において、無線受信信号解析部２０３、充電制御指示生成部２０４、充電要求リスト管理部２０５、有線受信信号解析部２０７および表示通知情報生成部２０８のそれぞれの処理機能は、制御部２０１を構成するマイクロコンピュータが、そのソフトウエアプログラムによる実行する機能として構成することもできる。
【００６３】
［制御装置２による充電制御および表示制御のシーケンス例；図６］
この第１の実施形態の充電管理システムにおいては、会員がパチンコ台で実際に遊技をしている間は、当該会員は、充電サービスを無料で受けることができるようにしている。図６に、この充電サービスの実行シーケンス例を示す。この図６のシーケンス例においては、制御装置２による充電装置１の充電制御およびパチンコ台ユニット３２の表示制御が次のようにして実行される。
【００６４】
先ず、会員は、自分の電気自動車を充電装置１が設置されている駐車スペースに駐車させ、当該駐車スペースに付随する充電装置１の充電用プラグ１４を、自分の電気自動車の充電用コネクタに接続すると共に、会員カードを、当該駐車スペースに付随する充電装置１のカードリーダ・ライタ１２にかざす。このとき、充電プラグ１４の接続動作と、会員カードをかざす動作とは、どちらを先に行っても良い。以上は、会員による充電要求動作となる。
【００６５】
充電装置１のカードリーダ・ライタ１２は、これに会員カードがかざされると、当該会員カードのＩＣ内のメモリに記憶されている会員ＩＤを読み出して、制御部１０１に供給する。そして、充電装置１の制御部１０１は、この会員ＩＤを受け取ると、充電プラグ接続検出部１０３の検出結果を判別することにより、充電プラグ１４が電気自動車の充電用コネクタに接続されているかどうかをチェックする。
【００６６】
そして、制御部１０１は、充電プラグ１４が電気自動車の充電用コネクタに接続されていることを検知確認すると、送信信号生成部１０７に、自装置の識別情報（自充電装置ＩＤ）と会員カードから取得した会員ＩＤ（会員ＩＤ１）とを含む充電要求通知を生成させる。送信信号生成部１０７は、制御部１０１の制御に基づいて、生成した充電要求通知を無線ＬＡＮインターフェース１０５を通じて制御装置２に送る。なお、充電装置１の送信信号生成部１０７は、制御装置２に送るために生成する充電状況情報には、常に、自装置の識別情報である充電装置ＩＤを含めるものである。
【００６７】
制御装置２は、無線ＬＡＮインターフェース２０２により充電装置１からの前記充電要求通知の受信し、それを無線受信信号解析部２０３に送る。無線受信信号解析部２０３は、当該充電要求通知の受信を判別すると、その判別結果を制御部２０１に通知すると共に、その充電要求通知を充電要求リスト管理部２０５に供給する。
【００６８】
充電要求リスト管理部２０５は、制御部２０１の制御に従って、前述したように、受信した充電要求通知に含まれる充電装置ＩＤを識別情報とした充電要求を、先ず充電要求リストに登録する。そして、充電要求リスト管理部２０５は、当該充電要求通知に含まれる会員ＩＤ１を、当該登録された充電要求の管理項目の一つとして充電要求リストに登録する。
【００６９】
会員は、以上のようにして、充電装置１に対する充電要求動作を完了すると、パチンコ店の屋内に入り、複数のパチンコ台３１〜３ｍのうちから選択した任意のパチンコ台３のパチンコ台ユニット３２のカード挿入口３３に会員カードを挿入する。そして、会員は、そのパチンコ台３のハンドル３１を操作して遊技を開始する。
【００７０】
すると、パチンコ台ユニット３２では、カード挿入口３３から挿入された会員カードに記憶されている情報を、内蔵のカードリーダ・ライタ３０７が読み出して制御部３０１に供給する。そして、パチンコ台ユニット３２の制御部３０１は、カードリーダ・ライタ３０７から受け取った情報から会員ＩＤを取得し、送信信号生成部３０４に渡す。送信信号生成部３０４は、制御部３０１の制御に基づき、当該会員ＩＤと自ユニットＩＤとを含むカード挿入通知を生成し、それを有線ＬＡＮインターフェース３０２を通じて制御装置２に送る。以下の説明においては、充電装置１から制御装置２に送られる会員ＩＤ１と区別するために、パチンコ台ユニット３２から制御装置２に送られる会員ＩＤを会員ＩＤ２と称する。なお、この会員ＩＤ２は、利用識別情報の第２の入力の一例である。
【００７１】
また、会員が遊技を開始したことにより、パチンコ台ユニット３２の玉流れ検出部３０６は、パチンコ玉がパチンコ台３の盤面に流れていることを示す検出出力を、システムバス３００を通じて制御部３０１に供給する。制御部３０１は、この玉流れ検出部３０６の検出出力を受けて、送信信号生成部３０４に遊技中情報を生成させる。送信信号生成部３０４は、生成した遊技中情報を、制御部３０１の制御に基づき、有線ＬＡＮインターフェース３０２を通じて制御装置２に送信する。
【００７２】
制御装置２は、パチンコ台ユニット３２からのカード挿入通知および遊技中情報を有線ＬＡＮインターフェース２０６を通じて受信し、有線受信信号解析部２０７に転送する。有線受信信号解析部２０７は、カード挿入通知を判別すると、その判別結果を制御部２０１に通知すると共に、カード挿入通知を充電要求リスト管理部２０５に供給する。
【００７３】
充電要求リスト管理部２０５は、受け取ったカード挿入通知に含まれる会員ＩＤ２およびユニットＩＤを抽出する。そして、充電要求リスト管理部２０５は、制御部２０１の制御に基づいて、抽出した会員ＩＤ２と、充電要求リストに記憶されている各充電要求の管理項目「会員ＩＤ１」とを比較参照し、会員ＩＤ２＝会員ＩＤ１となる充電要求が充電要求リストにあるか否か判別する。
【００７４】
そして、このシーケンス例においては、充電要求リスト管理部２０５は、受信した会員ＩＤ２と一致する会員ＩＤ１を管理項目として有する充電要求が充電要求リストにあると判別するので、充電要求リストにおいて、その一致した会員ＩＤ１を管理項目として含む充電要求の管理項目「ユニットＩＤ」に、前記会員ＩＤ２を送ってきたパチンコ台ユニット３２のユニットＩＤを登録する。また、充電要求リスト管理部２０５は、当該充電要求の管理項目「充電ステータス」を「充電開始待機中」とする。さらに、充電要求リスト管理部２０５は、当該充電要求の管理項目「会員カード状況」を「挿入中」にする。
【００７５】
こうして、充電管理リストにユニットＩＤが登録されることにより、制御装置２は、充電装置１から充電要求通知をした会員が、いずれかのパチンコ台ユニット３２に会員カードを挿入して遊技を開始しようとしていることを認識することができる。しかし、未だ、充電要求をした会員が実際に遊技を開始しているかどうかは、この時点では、不明である。そこで、制御装置２の制御部２０１は、充電要求リストにユニットＩＤを登録したパチンコ台ユニット３２からの遊技中情報の受信を監視する。
【００７６】
なお、以下の説明においては、充電要求リストに登録された充電要求の管理項目「会員ＩＤ１」と一致する会員ＩＤ２を送ってきたパチンコ台ユニット３２を、説明の理解を容易にするため、特に、充電要求会員利用中ユニット３２と称することとする。
【００７７】
制御装置２の有線受信信号解析部２０７は、遊技中情報の受信を判別すると、その判別結果を制御部２０１に通知すると共に、判別した遊技中情報を充電要求リスト管理部２０５に供給する。
【００７８】
充電要求リスト管理部２０５は、制御部２０１の制御に基づき、受信した遊技中情報に含まれるユニットＩＤを抽出して、その抽出したユニットＩＤと充電要求リストに登録されている充電要求の管理項目「ユニットＩＤ」とを比較し、両者が一致する充電要求があるか否か判別する。そして、このシーケンス例においては、充電要求リスト管理部２０５は、遊技中情報を送ってきたパチンコ台ユニット３２のユニットＩＤが、管理項目「ユニットＩＤ」と一致する充電要求があると判別するので、当該判別した充電要求の充電装置ＩＤと、その一致したユニットＩＤとを制御部２０１に通知する。この一致したユニットＩＤは、充電要求会員利用中ユニット３２のユニットＩＤである。
【００７９】
制御部２０１は、遊技中情報の受信に加えて、充電要求リスト管理部２０５から充電装置ＩＤと、充電要求会員利用中ユニット３２のユニットＩＤを受け取ると、充電要求をした会員が実際にパチンコ遊技を開始したと判断して、充電制御指示生成部２０４に充電開始指示を生成させる。
【００８０】
そして、制御部２０１は、充電要求リスト管理部２０５で判別された充電装置ＩＤの充電装置１に、充電制御指示生成部２０４で生成された充電開始指示を、無線ＬＡＮインターフェース２０２を通じて送るように制御する。そして、充電要求リスト管理部２０５は、制御部２０１の制御に基づいて、充電要求リストにおいて、充電開始指示を送った充電装置１についての充電要求の充電ステータスを「充電中」とする。
【００８１】
さらに、制御部２０１は、表示通知情報生成部２０８に充電開始表示情報を生成させ、生成された充電開始表示情報を、遊技中情報を送ってきた充電要求会員利用中ユニット３２に、有線ＬＡＮインターフェース２０６を通じて送信するように制御する。
【００８２】
充電装置１は、制御装置２からの充電開始指示を無線ＬＡＮインターフェース１０５を通じて受信し、受信信号解析部１０５で判別する。充電装置１の制御部１０１は、この受信信号解析部１０５からの充電開始指示の判別結果に基づき、充電プラグ１４を通じて接続されている電気自動車のバッテリーに対する充電を開始するように充電回路部１０２を制御する。
【００８３】
また、充電要求会員利用中ユニット３２は、制御装置２からの充電開始表示情報を有線ＬＡＮインターフェース３０２を通じて受信し、受信信号処理部３０３でデコード処理する。そして、充電要求会員利用中ユニット３２の制御部３０１は、受信信号処理部３０３からの充電開始表示情報をディスプレイインターフェース３０８を通じてＬＣＤ３４に供給し、その表示画面に「充電中」を表示させる。
【００８４】
次に、会員がハンドル３１の操作を停止したためパチンコ台３の盤面におけるパチンコ玉の流れが停止すると、充電要求会員利用中ユニット３２の玉流れ検出部３０６は、それを示す検出出力をシステムバスを通じて制御部３０１に供給する。制御部３０１は、この玉流れ検出部３０６の検出出力を受けて、送信信号生成部３０４に非遊技中情報を生成させる。送信信号生成部３０４は、生成した非遊技中情報を、制御部３０１の制御に基づき、有線ＬＡＮインターフェース３０２を通じて制御装置２に送信する。
【００８５】
制御装置２は、パチンコ台ユニット３２からの非遊技中情報を有線ＬＡＮインターフェース２０６を通じて受信し、有線受信信号解析部２０７に転送する。有線受信信号解析部２０７は、非遊技中情報の受信を判別すると、その判別結果を制御部２０１に通知すると共に、判別した非遊技中情報を充電要求リスト管理部２０５に供給する。
【００８６】
充電要求リスト管理部２０５は、制御部２０１の制御に基づき、受信した非遊技中情報に含まれるユニットＩＤを抽出して、その抽出したユニットＩＤと充電要求リストに登録されている充電要求の管理項目「ユニットＩＤ」と比較し、両者が一致する充電要求があるか否か判別する。そして、このシーケンス例においては、充電要求リスト管理部２０５は、非遊技中情報を送ってきたパチンコ台ユニット３２のユニットＩＤが、管理項目「ユニットＩＤ」と一致する充電要求があると判別するので、当該判別した充電要求の充電装置ＩＤと、その一致したユニットＩＤとを制御部２０１に通知する。
【００８７】
制御部２０１は、非遊技中情報の受信に加えて、充電要求リスト管理部２０５から充電装置ＩＤと、ユニットＩＤを受け取ると、充電要求をした会員がパチンコ遊技を停止（中断または終了）したと判断して、充電制御指示生成部２０４に充電停止指示を生成させる。
【００８８】
そして、制御部２０１は、充電要求リスト管理部２０５で判別された充電装置ＩＤの充電装置１に、充電制御指示生成部２０４で生成された充電停止指示を、無線ＬＡＮインターフェース２０２を通じて送るように制御する。そして、充電要求リスト管理部２０５は、制御部２０１の制御に基づいて、充電要求リストにおいて、充電停止指示が送った充電装置１の充電ステータスを「充電停止中」とする。
【００８９】
さらに、制御部２０１は、表示通知情報生成部２０８に充電停止表示情報を生成させ、生成された充電開始表示情報を、有線ＬＡＮインターフェース２０６を通じて非遊技中情報を送ってきた充電要求会員利用中ユニット３２に送信するように制御する。
【００９０】
充電装置１は、制御装置２からの充電停止指示を無線ＬＡＮインターフェース１０５を通じて受信し、受信信号解析部１０５で判別する。充電装置１の制御部１０１は、この受信信号解析部１０５からの充電停止指示の判別結果に基づき、充電プラグ１４を通じて接続されている電気自動車のバッテリーに対する充電を停止するように充電回路部１０２を制御する。
【００９１】
また、充電要求会員利用中ユニット３２は、制御装置２からの充電停止表示情報を有線ＬＡＮインターフェース３０２を通じて受信し、受信信号処理部３０３でデコード処理する。そして、充電要求会員利用中ユニット３２の制御部３０１は、受信信号処理部３０３からの充電停止表示情報をディスプレイインターフェース３０８を通じてＬＣＤ３４に供給し、その表示画面に「充電停止中」を表示させる。
【００９２】
次に、会員がハンドル３１を操作して、再度、パチンコ台３の盤面にパチンコ玉を流し始めると、パチンコ台ユニット３２の玉流れ検出部３０６は、パチンコ玉がパチンコ台３の盤面に流れていることを示す検出出力を、システムバス３００を通じて制御部３０１に供給する。制御部３０１は、この玉流れ検出部３０６の検出出力を受けて、送信信号生成部３０４に遊技中情報を生成させ、有線ＬＡＮインターフェース３０２を通じて制御装置２に送信するように制御する。
【００９３】
制御装置２の有線受信信号解析部２０７は、この遊技中情報の受信を判別すると、その判別結果を制御部２０１に通知すると共に、判別した遊技中情報を充電要求リスト管理部２０５に供給する。
【００９４】
充電要求リスト管理部２０５は、制御部２０１の制御に基づき、前述したように、受信した遊技中情報から抽出したユニットＩＤと充電要求リストに登録されている充電要求の管理項目「ユニットＩＤ」と比較し、両者が一致する充電要求があるか否か判別する。そして、このシーケンス例においては、充電要求リスト管理部２０５は、遊技中情報を送ってきたパチンコ台ユニット３２のユニットＩＤが、管理項目「ユニットＩＤ」と一致する充電要求があると判別するので、当該判別した充電要求の充電装置ＩＤと、その一致したユニットＩＤとを制御部２０１に通知する。
【００９５】
制御部２０１は、遊技中情報の受信に加えて、充電要求リスト管理部２０５から充電装置ＩＤと充電要求会員利用中ユニット３２のユニットＩＤを受け取ると、前述と同様にして、充電要求をした会員が実際にパチンコ遊技を開始したと判断して、充電制御指示生成部２０４に充電開始指示を生成させる。
【００９６】
そして、制御部２０１は、充電要求リスト管理部２０５で判別された充電装置ＩＤの充電装置１に、充電制御指示生成部２０４で生成された充電開始指示を、無線ＬＡＮインターフェース２０２を通じて送るように制御する。そして、充電要求リスト管理部２０５は、制御部２０１の制御に基づいて、充電要求リストにおいて、充電開始指示を送った充電装置１についての充電要求の充電ステータスを「充電中」とする。
【００９７】
さらに、制御部２０１は、表示通知情報生成部２０８に充電開始表示情報を生成させ、生成された充電開始表示情報を、有線ＬＡＮインターフェース２０６を通じて遊技中情報を送ってきた充電要求会員利用中ユニット３２に送信するように制御する。
【００９８】
充電装置１は、制御装置２からの充電開始指示を無線ＬＡＮインターフェース１０５を通じて受信し、受信信号解析部１０５で判別する。充電装置１の制御部１０１は、この受信信号解析部１０５からの充電開始指示の判別結果に基づき、充電プラグ１４を通じて接続されている電気自動車のバッテリーに対する充電を開始（再開）するように充電回路部１０２を制御する。
【００９９】
また、充電要求会員利用中ユニット３２は、制御装置２からの充電開始表示情報を有線ＬＡＮインターフェース３０２を通じて受信し、受信信号処理部３０３でデコード処理する。そして、充電要求会員利用中ユニット３２の制御部３０１は、受信信号処理部３０３からの充電開始表示情報をディスプレイインターフェース３０８を通じてＬＣＤ３４に供給し、その表示画面に「充電中」を表示させる。
【０１００】
そして、充電装置１の充電状況判断部１０４は、電気自動車のバッテリーに対して充電を実行しているときには、当該充電中の電気自動車のバッテリーの充電状況（例えば「充電量が３０％である」、「充電量が５０％である」、「充電完了」等）を検出し、その検出した充電状況を送信信号生成部１０７に供給する。
【０１０１】
充電装置１の制御部１０１は、前述したように、充電中における所定時間間隔、あるいは、充電量が所定量になる毎に、送信信号生成部１０７に、充電状況通知を生成させるように制御する。送信信号生成部１０７は、制御部１０１により充電状況通知の生成が指示されたタイミングにおける充電状況判断部１０４からの充電状況検出結果に基づいて充電状況通知を生成する。なお、この例では、特に、充電状況判断部１０４からの充電状況検出結果が「充電完了」を示すものとなったときには、制御部１０１がそれを検知して、当該充電完了の時点で、送信信号生成部１０７に充電完了通知を生成させるようにする。
【０１０２】
送信信号生成部１０７は、制御部１０１の制御に基づいて、生成した充電状況通知または充電完了通知を、無線ＬＡＮインターフェース１０５を通じて制御装置２に送信する。
【０１０３】
制御装置２は、充電装置１からの充電状況通知または充電完了通知を無線ＬＡＮインターフェース２０２を通じて受信し、それを無線受信信号解析部２０３に送る。無線受信信号解析部２０３は、当該充電状況通知または充電完了通知の受信を判別すると、その判別結果を制御部２０１に通知すると共に、その充電状況通知または充電完了通知を充電要求リスト管理部２０５に供給する。
【０１０４】
充電要求リスト管理部２０５は、制御部２０１の制御に基づき、受信した充電状況通知または充電完了通知に含まれる充電装置ＩＤを抽出し、その充電装置ＩＤを充電要求リストに登録されている充電要求の充電装置ＩＤと比較し、当該充電状況通知または充電完了通知を送ってきた充電装置１の充電装置ＩＤを判別し、制御部２０１に通知する。また、充電要求リスト管理部２０５は、判別した充電装置ＩＤに対応付けられている充電要求会員利用中ユニット３２のユニットＩＤを充電要求リストから判別し、制御部２０１に通知する。
【０１０５】
制御部２０１は、充電状況通知または充電完了通知の受信の判別結果を受けて、表示通知情報生成部２０８に、充電状況表示情報または充電完了時表示情報を生成させる。充電状況表示情報は、例えば「充電量３０％」、「充電量５０％」等の充電状況途中経過の表示を行うためのものである。また、充電完了表示情報には、充電を終了した旨のみではなく、充電装置１を他の会員に利用可能とするために、充電装置１が設置されている駐車スペースから、車両の移動を会員に依頼するメッセージが含まれる。
【０１０６】
制御部２０１は、充電要求リスト管理部２０５で判別されたユニットＩＤの充電要求会員利用中ユニット３２に、表示通知情報生成部２０８で生成された充電状況表示情報または充電完了時表示情報を、有線ＬＡＮインターフェース２０６を通じて送るように制御する。
【０１０７】
そして、充電要求リスト管理部２０５は、制御部２０１の制御に基づいて、充電要求リストにおいて、充電状況通知を送ってきた充電装置１の管理項目「充電状況」を「充電量３０％」、「充電量５０％」などとする。また、充電要求リスト管理部２０５は、充電要求リストにおいて、充電完了通知を送ってきた充電装置１の管理項目「充電状況」は「充電完了」とする。
【０１０８】
また、無線受信信号解析部２０３で充電完了通知が判別されたときには、制御部２０１は、さらに、充電制御指示生成部２０４に、充電終了指示を生成させる。そして、制御部２０１は、生成された充電終了指示を、充電要求リスト管理部２０５で判別された当該充電完了通知を送ってきた充電装置１に、無線ＬＡＮインターフェース２０２を通じて送るように制御する。
【０１０９】
充電要求会員利用中ユニット３２は、制御装置２からの充電状況表示情報または充電完了時表示情報を有線ＬＡＮインターフェース３０２を通じて受信し、受信信号処理部３０３でデコード処理する。そして、充電要求会員利用中ユニット３２の制御部３０１は、受信信号処理部３０３からの充電状況表示情報または充電完了時表示情報をディスプレイインターフェース３０８を通じてＬＣＤ３４に供給する。
【０１１０】
これにより、充電状況表示情報の場合には、表示画面３４には、例えば「充電量３０％」、「充電量５０％」等の充電状況表示が行われる。充電完了時表示情報の場合には、表示画面３４には、充電を完了した旨と、充電装置１を他の会員に利用可能とするために、充電装置１が設置されている駐車スペースから、車両の移動を会員に依頼するメッセージが表示される。
【０１１１】
なお、充電完了時表示情報を受信した充電要求会員利用中ユニット３２は、充電を完了した旨および車両の移動を会員に依頼するメッセージを、パチンコ台ユニット３２に設けられるスピーカから、併せて放音するようにしても良い。
【０１１２】
また、制御装置２からの充電終了指示は、充電装置１の無線ＬＡＮインターフェース１０５を通じて受信され、受信信号解析部１０６で判別される。充電装置１の制御部１０１は、この充電終了指示を受信したことを確認すると、充電回路部１０２を制御して、充電を停止させ、充電終了となる。
【０１１３】
充電要求会員利用中パチンコ台ユニット３２での充電完了時表示に対応して、会員が駐車場に赴き、車両を移動するために、充電装置１の充電プラグ１４を車両から外すと、充電装置１の制御部１０１は、送信信号生成部１０７に充電プラグ接続解除通知を生成させる。そして、制御部１０１の制御により、送信信号生成部１０７は、生成した充電プラグ接続解除通知を、無線ＬＡＮインターフェース１０５を通じて制御装置２に送信する。
【０１１４】
制御装置２は、無線ＬＡＮインターフェース２０２を通じて、この充電プラグ接続解除通知を受け取り、無線受信信号解析部２０３で判別する。無線受信信号解析部２０３は、その判別結果を制御部２０１に供給すると共に、受信した充電プラグ接続解除通知を充電管理リスト管理部２０５に供給する。充電要求リスト管理部２０５は、制御部２０１の制御に基づいて、充電プラグ接続解除通知に含まれる充電装置ＩＤにより、当該通知を送ってきた充電装置１を判別し、その充電装置ＩＤの充電装置１についての充電要求を、充電要求リストから削除する。
【０１１５】
なお、この実施形態では、会員が、充電装置１が設置されている駐車スペースに電気自動車を駐車させたにも拘らず、予め定めた所定時間以上、例えば３０分以上、パチンコ台３で遊技を行わない状況が続いたときには、制御装置２は、充電装置１に対してなされた充電要求に応じた充電を強制終了させるようにする。
【０１１６】
その場合において、会員が会員カードをパチンコ台３に挿入しているときには、当該パチンコ台３のパチンコ台ユニット３２は充電要求会員利用中ユニット３２になるので、制御装置２からの強制終了通知を受けて、充電装置１が設置されている駐車スペースから、車両の移動を会員に依頼するメッセージを、その表示画面３４に表示することができる。
【０１１７】
しかし、会員が、パチンコ台３に会員カードを挿入することなく、充電装置１に対して充電要求動作をした後の時間が前記所定時間を経過するような状況もある。その場合には、制御装置２は、会員登録情報に連絡先として登録されている携帯電話端末にメールを送ったり、電話をかけたりすることで、充電装置１が設置されている駐車スペースから、車両の移動を会員に依頼するようにする。そのような連絡先が会員登録情報として登録されていないときには、例えば、パチンコ店内や店外の拡声器による案内アナウンスにより、駐車中の車両のナンバーを指定して、車両の移動を会員に依頼するようにすることもできる。
【０１１８】
次に、以上説明したシーケンス例に対応して、充電装置１、制御装置２、パチンコ台ユニット３２のそれぞれが実行する処理のそれぞれについて、以下に説明する。
【０１１９】
［充電装置１での処理例；図７〜図９］
図７〜図９は、充電装置１における処理動作例を説明するためのフローチャートである。なお、以下の説明においては、図２に示した充電装置１の構成における充電状況判断部１０４、受信信号解析部１０６、送信信号生成部１０７のそれぞれの処理機能は、制御部１０１が、そのソフトウエアプログラムによる実行する機能として実行する場合としている。
【０１２０】
先ず、制御部１０１は、カードリード・ライタ１２の読み取り出力を監視して、会員カードがカードリーダ・ライタ１２にかざされるのを待つ（ステップＳ１０１）。ステップＳ１０１で、会員カードがカードリーダ・ライタ１２にかざされたと判別したときには、制御部１０１は、カードリーダ・ライタ１２からの会員カードの読み取り出力から、会員ＩＤ１を読み込む（ステップＳ１０２）。
【０１２１】
そして、制御部１０１は、充電プラグ１４を電気自動車の充電用コネクタへの接続を促すメッセージをＬＣＤ１１の画面に表示する（ステップＳ１０３）。次に、制御部１０１は、充電プラグ接続検出部１０３の接続検出出力を監視して、充電プラグ１４が電気自動車の充電用コネクタに接続されるのを待つ（ステップＳ１０４）。
【０１２２】
そして、ステップＳ１０４で、充電プラグ１４が電気自動車の充電用コネクタに接続されたと判別したときには、制御部１０１は、ステップＳ１０２で読み込んだ会員ＩＤ１と、自充電装置ＩＤとを含む充電要求通知を生成して、制御装置２に無線ＬＡＮ４を通じて送信する。そして、制御部１０１は、充電開始待機状態になる（ステップＳ１０５）。
【０１２３】
次に、制御部１０１は、制御装置２からの充電開始指示の受信を監視し（ステップＳ１０６）、充電開始指示を受信していないと判別したときには、受信していない状態が継続して予め定めた規定時間（例えば３０分）以上経過したか否か判別する（ステップＳ１０７）。ステップＳ１０７で、規定時間以上は経過していないと判別したときには、制御部１０１は、処理をステップＳ１０６に戻し、このステップＳ１０６以降の処理を繰り返す。
【０１２４】
ステップＳ１０７で、充電開始指示を受信していない時間が規定時間以上経過したと判別したときには、制御部１０１は、会員は充電要求したが前記規定時間以上パチンコ台で遊技を行っていないと判断して、制御装置２に、充電強制終了通知を無線ＬＡＮ４を通じて送信する（ステップＳ１０８）。そして、制御部１０１は、ステップＳ１０５で設定した充電開始待機状態を解除する（ステップＳ１０１）。
【０１２５】
そして、制御部１０１は、充電プラグ１４が電気自動車の充電用コネクタから外されるのを待ち（ステップＳ１１０）、充電プラグ１４が電気自動車の充電用コネクタから外されたことを確認すると、ステップＳ１０１に戻る。
【０１２６】
また、ステップＳ１０６で、充電開始指示を受信したと判別したときには、制御部１０１は、充電回路部１０２を制御して電気自動車のバッテリーへの充電を開始する（ステップＳ１１１）。
【０１２７】
次に、制御部１０１は、充電状況通知タイミングであるか否か判別する（図８のステップＳ１２１）。充電状況通知タイミングであるかどうかは、前述したように、充電開始を起点とした一定周期のタイミングになったか、あるいは、充電量が予め定められた所定量になったか否かにより判別される。
【０１２８】
このステップＳ１２１において、充電状況通知タイミングであると判別したときには、制御部１０１は、充電状況判断部１０４の判断結果を用いて充電状況を検知して、それに基づく充電状況通知を生成し、無線ＬＡＮ４を通じて制御装置２に送信する（ステップＳ１２２）。そして、制御部１０１は、制御装置２から充電停止指示を受信したか否か判別する（ステップＳ１２３）。ステップＳ１２１で、充電状況通知タイミングではないと判別したときには、制御部１０１は、ステップＳ１２２をバイパスして、ステップＳ１２３に進む。
【０１２９】
ステップＳ１２３で、充電停止指示を受信したと判別したときには、制御部１０１は、充電回路部１０２を制御して電気自動車のバッテリーへの充電を停止する（ステップＳ１２４）。そして、制御部１０１は、充電開始指示を再度受信したか否か判別し（ステップＳ１２５）、充電開始指示を受信したと判別したときには、充電回路部１０２を制御して電気自動車のバッテリーへの充電を再開する（ステップＳ１２６）。そして、制御部１０１は、処理をステップＳ１２１に戻し、このステップＳ１２１以降の処理を繰り返す。
【０１３０】
ステップＳ１２５で充電開始指示を受信してはいないと判別したときには、充電を停止している期間が予め定められた規定期間、例えば３０分経過したか否か判別する（ステップＳ１２７）。このステップＳ１２７で検出する充電を停止している期間は、会員が会員カードをパチンコ台ユニットに挿入して入るが、実際にパチンコ遊技を行ってはいない期間である。
【０１３１】
このステップＳ１２７で、充電を停止している期間が予め定められた規定期間を経過したと判別したときには、制御部１０１は、制御装置２に充電強制終了通知を無線ＬＡＮ４を通じて送信する（ステップＳ１２８）。そして、制御部１０１は、次の充電要求を受け付け可能にするために充電装置１をリセット状態にする（ステップＳ１２９）。
【０１３２】
そして、制御部１０１は、充電プラグ１４が電気自動車の充電用コネクタから外されるのを待ち（ステップＳ１３０）、充電プラグ１４が電気自動車の充電用コネクタから外されたことを確認すると、ステップＳ１０１に処理を戻し、このステップＳ１０１以降の処理を繰り返す。
【０１３３】
ステップＳ１２３で充電停止指示を受信していないと判別したとき、また、ステップＳ１２７で、充電を停止している期間が予め定められた規定時間を経過してはいないと判別したときには、制御部１０１は、充電状況判断部１０４の判断結果から充電が完了をしているか否か判別する（図９のステップＳ１３１）。
【０１３４】
このステップＳ１３１で、充電が完了したと判別したときには、制御部１０１は、充電完了通知を無線ＬＡＮ４を通じて制御装置２に送信する（ステップＳ１３２）。そして、制御部１０１は、制御装置２から送られてくる充電終了指示の受信を待ち（ステップＳ１３３）、充電終了指示を受信したら、充電回路部１０２を制御して充電を停止させて充電を終了させ、次の充電要求を受け付け可能にするために充電装置１をリセットする（ステップＳ１３４）。
【０１３５】
そして、制御部１０１は、充電プラグ１４が電気自動車の充電用コネクタから外されるのを待ち（ステップＳ１３５）、充電プラグ１４が電気自動車の充電用コネクタから外されたことを確認すると、充電プラグ接続解除通知を無線ＬＡＮ４を通じて制御装置２に送信する（ステップＳ１３６）。そして、制御部１０１は、ステップＳ１０１に処理を戻し、このステップＳ１０１以降の処理を繰り返す。
【０１３６】
また、ステップＳ１３１で、充電が完了してはいないと判別したときには、制御部１０１は、充電プラグ１４が外されたか否かを判別する（ステップＳ１３７）。これは、充電完了してはいないが、会員が帰宅等のため、充電を中止するために充電プラグ１４が外される場合を想定している。このステップＳ１３７で、充電プラグ１４が外されてはいないと判別したときには、制御部１０１は、処理をステップＳ１２１に戻し、このステップＳ１２１以降の処理を繰り返す。
【０１３７】
ステップＳ１３７で充電プラグ１４が外されたと判別したときには、制御部１０１は、充電回路部１０２を制御して充電を停止させて充電を終了させ、次の充電要求を受け付け可能にするために充電装置１をリセットする（ステップＳ１３８）。そして、制御部１０１は、充電プラグ接続解除通知を無線ＬＡＮ４を通じて制御装置２に送信し（ステップＳ１３６）、その後、ステップＳ１０１に処理を戻し、このステップＳ１０１以降の処理を繰り返す。
【０１３８】
［パチンコ台ユニット３２の処理例；図１０］
図１０は、パチンコ台ユニット３２における処理動作例を説明するためのフローチャートである。以下の説明においては、図３に示したパチンコ台ユニット３２の構成における受信信号処理部３０３、送信信号生成部３０４のそれぞれの処理機能は、制御部３０１が、そのソフトウエアプログラムによる実行する機能として実行する場合としている。
【０１３９】
パチンコ台ユニット３２の制御部３０１は、会員カードがカード挿入口３３から挿入されたか否かを、カードリーダ・ライタ３０７の出力を監視することにより監視する（ステップＳ２０１）。このステップＳ２０１で、会員カードがカード挿入口３３から挿入されたと判別したときには、制御部３０１は、カードリーダ・ライタ３０７からの会員カードの読み取り出力から、会員ＩＤ２を読み込む（ステップＳ２０２）。そして、制御部３０１は、当該会員ＩＤ２と、自ユニットＩＤとを含めた会員カード挿入通知を生成し、有線ＬＡＮ５を通じて制御装置２に送信する（ステップＳ２０３）。
【０１４０】
次に、制御部３０１は、制御装置２から充電要求キャンセル表示情報を受信したか否か判別する（ステップＳ２０４）。このステップＳ２１１で、充電要求キャンセル表示情報を受信したと判別したときには、制御部３０１は、充電要求がキャンセルされた旨の表示と共に、充電装置１が設置されている駐車スペースから車両の移動を会員に依頼するメッセージを、ＬＣＤ３４の表示画面に表示させる（ステップＳ２１２）。
【０１４１】
次いで、制御部３０１は、カードリーダ・ライタ３０７の出力から会員カードが外されたか否かを判別する（ステップＳ２１３）。そして、このステップＳ２１３で、会員カードが外されてはいないと判別したときには、制御部３０１は、処理をステップＳ２０４に戻し、このステップＳ２０４の以降の処理を繰り返す。また、ステップＳ２１３で、会員カードが外されたと判別したときには、制御部３０１は、会員カードが外されたことを示す会員カード取り出し通知（自ユニットＩＤを含む）を制御装置２に有線ＬＡＮ５を通じて送信する（ステップＳ２１４）。そして、この処理ルーチンを終了する。
【０１４２】
次に、ステップＳ２０４で、充電要求キャンセル表示情報を受信してはいないと判別したときには、制御部３０１は、玉流れ検出部３０６の玉流れ検出出力を監視することにより、パチンコ台の盤面にパチンコ玉が流れているか否かを判別する（ステップＳ２０５）。このステップＳ２０５で、パチンコ玉が流れていると判別したときには、制御部３０１は、自ユニットＩＤとを含めた遊技中情報を生成して、有線ＬＡＮ５を通じて制御装置２に送信する（ステップＳ２０６）。
【０１４３】
そして、次に、制御部３０１は、制御装置２から充電開始表示情報または充電状況表示情報を受信したか否か判別する（ステップＳ２０７）。このステップＳ２０７で、充電開始表示情報または充電状況表示情報を受信したと判別したときには、制御部３０１は、ＬＣＤ３４の画面に充電開始表示し、または、充電状況を表示する（ステップＳ２０８）。次いで、制御部３０１は、充電完了時表示情報を受信したか否か判別する（ステップＳ２０９）。ステップＳ２０７で、充電開始表示情報または充電状況表示情報を受信してはいないと判別したときにも、制御部３０１は、ステップＳ２０９に飛んで、充電完了時表示情報を受信したか否か判別する。
【０１４４】
このステップＳ２０９で、充電完了時表示情報を受信したと判別したときには、制御部３０１は、充電を完了した旨と、充電装置１が設置されている駐車スペースから車両の移動を会員に依頼するメッセージを、ＬＣＤ３４の表示画面に表示させる（ステップＳ２１０）。そして、制御部３０１は、ステップＳ２１３に進み、このステップＳ２１３以降の処理を繰り返す。
【０１４５】
また、ステップＳ２０９で、充電完了時表示情報を受信してはいないと判別したときにも、制御部３０１は、ステップＳ２１３に進み、このステップＳ２１３以降の処理を繰り返す。
【０１４６】
また、ステップＳ２０５で、パチンコ玉が流れていないと判別したときには、制御部３０１は、自ユニットＩＤとを含めた非遊技中情報を生成して、有線ＬＡＮ５を通じて制御装置２に送信する（ステップＳ２１２）。そして、制御部３０１は、ステップＳ２１３に進み、このステップＳ２１３以降の処理を繰り返す。
【０１４７】
［制御装置２での処理例；図１１〜図２１］
制御装置２は、充電装置１から送られてくる通知情報およびパチンコ台ユニット３２から送られてくる通知情報を常時監視し、それぞれの情報を受信したときに対応する処理を実行する。図１１および図１２は、制御装置２の処理動作の全体の流れの例を示すフローチャートである。また、図１３〜図２１は、図１１および図１２に示した処理ステップの処理内容の例を示すフローチャートである。
【０１４８】
なお、以下の説明においては、図４に示した制御装置２の構成における無線受信信号解析部２０３、充電制御指示生成部２０４、充電要求リスト管理部２０５、有線受信信号解析部２０７および表示通知情報生成部２０８のそれぞれの処理機能は、制御部２０１が、そのソフトウエアプログラムによる実行する機能として実行する場合としている。
【０１４９】
制御装置２の制御部２０１は、先ず、充電装置１から充電要求通知を受信したか否か判別し（ステップＳ３０１）、充電要求通知を受信したと判別したときには、充電要求通知の受信時処理を実行する（ステップＳ３０２）。
【０１５０】
図１３は、このステップＳ３０２における充電要求通知の受信時処理の例を示すフローチャートである。
【０１５１】
制御部２０１は、充電要求通知を受信すると、当該充電要求通知に含まれる充電装置ＩＤと会員ＩＤ１を取得する（ステップＳ４０１）。そして、制御部２０１は、充電要求リストを参照して、ステップＳ４０１で取得した充電装置ＩＤの充電装置１の充電要求が既に登録済みであるか否か判別し（ステップＳ４０２）、登録済みであれば、この図１３の処理ルーチンをそのまま終了する。
【０１５２】
また、ステップＳ４０２で、登録済みではないと判別したときには、制御部２０１は、ステップＳ４０１で取得した充電装置ＩＤの充電装置１の充電要求を充電要求リストに登録し、その登録した充電要求の管理項目「会員ＩＤ１」として、ステップ４０１で取得した会員ＩＤ１を書き込んで登録する（ステップＳ４０３）。そして、この図１３の処理ルーチンを終了する。以上のようなステップＳ３０２の処理終了後、制御部２０１は、処理をステップＳ３０１に戻す。
【０１５３】
なお、この図１３の処理においては、充電装置１からは会員ＩＤのみが送られてくる場合を想定したが、充電要求通知に含まれる会員ＩＤが、会員登録情報管理部２０９で管理されている正当な会員であるか否かを判別し、正当な会員であると判別したときにのみ、この図１３のステップＳ４０１〜Ｓ４０３の処理を行うようにしても良い。そして、もしも、充電要求通知に含まれる会員ＩＤが、正当なものではないと判別したときには、制御部２０１は、充電装置１にその旨を送り、充電装置１は、例えば表示部１１に、「会員以外は、充電サービスを受けることができません」という表示をすると共に、例えば充電プラグ１４の取外しができないように制御する構成としても良い。
【０１５４】
次に、説明を図１１のフローチャートに戻すと、ステップＳ３０１で、充電装置１から充電要求通知を受信してはいないと判別したときには、制御部２０１は、パチンコ台ユニット３２から会員カード挿入通知を受信したか否か判別し（ステップＳ３０３）、会員カード挿入通知を受信したと判別したときには、会員カード挿入通知の受信時処理を実行する（ステップＳ３０４）。そして、このステップＳ３０４の処理終了後、制御部２０１は、処理をステップＳ３０１に戻す。
【０１５５】
図１４は、このステップＳ３０４における会員カード挿入通知の受信時処理の例を示すフローチャートである。
【０１５６】
制御部２０１は、会員カード挿入通知を受信すると、当該会員カード挿入通知に含まれるパチンコ台ユニット３２のユニットＩＤと会員ＩＤ２を取得する（ステップＳ４１１）。そして、制御部２０１は、ステップＳ４１１で取得した会員ＩＤ２と充電要求リストに登録済みの全ての会員ＩＤ１とを比較参照し（ステップＳ４１２）、充電要求リストに登録済みの会員ＩＤ１の中に、会員ＩＤ２と一致するものがあるか否か判別する（ステップＳ４１３）。
【０１５７】
ステップＳ４１３で、充電要求リストに登録済みの会員ＩＤ１の中に会員ＩＤ２と一致するものがないと判別したときには、制御部２０１は、この図１４の処理ルーチンをそのまま終了する。
【０１５８】
また、ステップＳ４１３で、充電要求リストに登録済みの会員ＩＤ１の中に会員ＩＤ２と一致するものがあると判別したときには、制御部２０１は、充電要求リストにおいて、会員ＩＤ２と一致する会員ＩＤ１を管理項目「会員ＩＤ１」に含む充電要求を判別し、その充電ステータスを「充電開始待機中」にすると共に、その管理項目「ユニットＩＤ」にステップＳ４１１で取得したユニットＩＤを登録する（ステップＳ４１４）。そして、制御部２０１は、この図１４の処理ルーチンを終了する。
【０１５９】
図１１に戻って、ステップＳ３０３で、パチンコ台ユニット３２から会員カード挿入通知を受信してはいないと判別したときには、制御部２０１は、遊技中情報を受信したか否か判別し（ステップＳ３０５）、遊技中情報を受信したと判別したときには、遊技中情報の受信時処理を実行する（ステップＳ３０６）。そして、このステップＳ３０６の処理終了後、制御部２０１は、処理をステップＳ３０１に戻す。
【０１６０】
図１５は、このステップＳ３０６における遊技中情報の受信時処理の例を示すフローチャートである。
【０１６１】
制御部２０１は、遊技中情報を受信すると、当該遊技中情報に含まれるパチンコ台ユニット３２のユニットＩＤを取得する（ステップＳ４２１）。そして、制御部２０１は、ステップＳ４２１で取得したユニットＩＤと充電要求リストに登録済みの全ての充電要求の管理項目「ユニットＩＤ」と比較参照し（ステップＳ４２２）、両ユニットＩＤが一致する充電要求があるか否か判別する（ステップＳ４２３）。
【０１６２】
ステップＳ４２３で、充電要求リストに、一致するユニットＩＤを管理項目に含む充電要求がないと判別したときには、制御部２０１は、この図１５の処理ルーチンをそのまま終了する。すなわち、このときに受信した遊技中情報は、充電要求した会員以外の会員が遊技中のパチンコ台ユニットからの遊技中情報であるので、そのまま処理を終了する。
【０１６３】
また、ステップＳ４２３で、充電要求リストに、一致するユニットＩＤを管理項目に含む充電要求があると判別したときには、制御部２０１は、その充電要求の管理項目「充電ステータス」が「充電開始待機中」または「充電停止中」になっているか否か判別する（ステップＳ４２４）。
【０１６４】
このステップＳ４２４において、ステップＳ４２３で判別された充電要求の管理項目「充電ステータス」が「充電開始待機中」または「充電停止中」になっていると判別したときには、制御部２０１は、充電開始指示を生成し、生成した充電開始指示を、ステップＳ４２３で判別された充電要求を送出した充電装置１に対して送信する（ステップＳ４２５）。
【０１６５】
次に、制御部２０１は、充電要求リストにおいて、充電開始指示を送った充電装置１についての充電要求の充電ステータスを「充電中」に変更する（ステップＳ４２６）。さらに、制御部２０１は、充電開始表示情報を生成し、生成した充電開始表示情報を、遊技中情報を送ってきた充電要求会員利用中ユニット３２に送信する（ステップＳ４２７）。そして、制御部２０１は、この図１５の処理ルーチンを終了する。
【０１６６】
ステップＳ４２４において、ステップＳ４２３で判別された充電要求の管理項目「充電ステータス」が「充電開始待機中」または「充電停止中」になってはいないと判別したときには、制御部２０１は、この図１５の処理ルーチンを終了する。遊技中情報を受信したときに、管理項目「充電ステータス」が「充電開始待機中」または「充電停止中」になってはいない充電要求の充電ステータスは、「充電中」となっている。そこで、ステップＳ４２４において、ステップＳ４２３で判別された充電要求の管理項目「充電ステータス」が「充電開始待機中」または「充電停止中」になってはいないと判別したときには、充電装置１には充電開始指示を送る必要は無い。
【０１６７】
図１１に戻って、ステップＳ３０５で、パチンコ台ユニット３２から遊技中情報は受信してはいないと判別したときには、制御部２０１は、非遊技中情報を受信したか否か判別し（ステップＳ３０７）、非遊技中情報を受信したと判別したときには、非遊技中情報の受信時処理を実行する（ステップＳ３０８）。
【０１６８】
図１６は、このステップＳ３０８における非遊技中情報の受信時処理の例を示すフローチャートである。
【０１６９】
制御部２０１は、非遊技中情報を受信すると、当該非遊技中情報に含まれるパチンコ台ユニット３２のユニットＩＤを取得する（ステップＳ４３１）。そして、制御部２０１は、ステップＳ４３１で取得したユニットＩＤと充電要求リストに登録済みの全ての充電要求の管理項目「ユニットＩＤ」と比較参照し（ステップＳ４３２）、両ユニットＩＤが一致する充電要求があるか否か判別する（ステップＳ４３３）。
【０１７０】
ステップＳ４３３で、充電要求リストに、一致するユニットＩＤを管理項目に含む充電要求がないと判別したときには、制御部２０１は、この図１６の処理ルーチンをそのまま終了する。すなわち、このときに受信した非遊技中情報は、充電要求した会員以外の会員が遊技中のパチンコ台ユニットからの非遊技中情報であるので、そのまま処理を終了する。
【０１７１】
また、ステップＳ４３３で、充電要求リストに、一致するユニットＩＤを管理項目に含む充電要求があると判別したときには、制御部２０１は、その充電要求の管理項目「充電ステータス」が「充電中」になっているか否か判別する（ステップＳ４３４）。
【０１７２】
このステップＳ４３４において、ステップＳ４３３で判別された充電要求の管理項目「充電ステータス」が「充電中」になっていると判別したときには、制御部２０１は、充電停止指示を生成し、生成した充電停止指示を、ステップＳ４３３で判別された充電要求を送出した充電装置１に対して送信する（ステップＳ４３５）。
【０１７３】
次に、制御部２０１は、充電要求リストにおいて、充電停止指示を送った充電装置１についての充電要求の充電ステータスを「充電停止中」に変更する（ステップＳ４３６）。さらに、制御部２０１は、充電停止表示情報を生成し、生成した充電停止表示情報を、非遊技中情報を送ってきた充電要求会員利用中ユニット３２に送信する（ステップＳ４３７）。そして、制御部２０１は、この図１６の処理ルーチンを終了する。
【０１７４】
ステップＳ４３４において、ステップＳ４３３で判別された充電要求の管理項目「充電ステータス」が「充電中」になってはいないと判別したときには、制御部２０１は、ステップＳ４３７に進み、このステップＳ４３７以降の処理を繰り返す。非遊技中情報を受信したときに、管理項目「充電ステータス」が「充電中」になってはいない充電要求の充電ステータスは、「充電停止中」となっている。そこで、ステップＳ４３４において、ステップＳ４３３で判別された充電要求の管理項目「充電ステータス」が「充電中」になってはいないと判別したときには、充電装置１には充電停止指示を送る必要は無い。
【０１７５】
図１１に戻って、ステップＳ３０７で、パチンコ台ユニット３２から非遊技中情報は受信してはいないと判別したときには、制御部２０１は、充電装置１から充電状況通知を受信したか否か判別し（ステップＳ３０９）、充電状況通知を受信したと判別したときには、充電状況通知の受信時処理を実行する（ステップＳ３１０）。そして、このステップＳ３１０の処理終了後、制御部２０１は、処理をステップＳ３０１に戻す。
【０１７６】
図１７は、このステップＳ３１０における充電状況通知の受信時処理の例を示すフローチャートである。
【０１７７】
制御部２０１は、充電状況通知を受信すると、当該充電状況通知に含まれている充電装置ＩＤを抽出して取得する（ステップＳ４４１）。そして、制御部２０１は、充電要求リストから、取得した充電装置ＩＤの充電要求を判別し、その管理項目「充電状況」に、充電状況通知で通知されてきた充電状況、例えば充電量３０％を書き込む（ステップＳ４４２）。
【０１７８】
次に、制御部２０１は、充電要求リストから判別した充電要求の管理項目「ユニットＩＤ」から、当該充電要求している会員が利用中のパチンコ台ユニットのユニットＩＤを判別する（ステップＳ４４３）。次に、制御部２０１は、受信した充電状況通知に応じた充電状況表示情報を生成し、当該充電状況表示情報をステップＳ４４３で判別したパチンコ台ユニット３２に、有線ＬＡＮ５を通じて送信する（ステップＳ４４４）。そして、この図１７の処理ルーチンを終了する。
【０１７９】
図１１に戻って、ステップＳ３０９で、充電装置１からの充電状況通知を受信してはいないと判別したときには、制御部２０１は、充電装置１から充電完了通知を受信したか否か判別し（図１２のステップＳ３１１）、充電完了通知を受信したと判別したときには、充電完了通知の受信時処理を実行する（ステップＳ３１２）。このステップＳ３１２の処理終了後、制御部２０１は、処理をステップＳ３０１に戻す。
【０１８０】
図１８は、このステップＳ３１２における充電完了通知の受信時処理の例を示すフローチャートである。
【０１８１】
制御部２０１は、充電完了通知を受信すると、当該充電完了通知に含まれている充電装置ＩＤを抽出して取得する（ステップＳ４５１）。そして、制御部２０１は、充電要求リストから、取得した充電装置ＩＤの充電要求を判別し、その管理項目「充電ステータス」に充電完了を書き込むと共に、管理項目「充電状況」に、例えば満充電を書き込む（ステップＳ４５２）。
【０１８２】
次に、制御部２０１は、充電終了指示を生成して、充電完了通知を送ってきた充電装置１に送信する（ステップＳ４５３）。
【０１８３】
次に、制御部２０１は、充電要求リストから判別した充電要求の管理項目「ユニットＩＤ」から、当該充電要求している会員が利用中のパチンコ台ユニットのユニットＩＤを判別する（ステップＳ４５４）。次に、制御部２０１は、受信した充電完了通知に応じた充電完了表示情報を生成し、当該充電完了表示情報をステップＳ４５４で判別したパチンコ台ユニット３２に、有線ＬＡＮ５を通じて送信する（ステップＳ４５５）。そして、この図１８の処理ルーチンを終了する。
【０１８４】
図１１に戻って、ステップＳ３１１で、充電装置１からの充電完了通知を受信してはいないと判別したときには、制御部２０１は、充電装置１から充電強制終了通知を受信したか否か判別し（ステップＳ３１３）、充電強制終了通知を受信したと判別したときには、充電強制終了通知の受信時処理を実行する（ステップＳ３１４）。このステップＳ３１４の処理終了後、制御部２０１は、処理をステップＳ３０１に戻す。
【０１８５】
図１９は、このステップＳ３１４における充電強制終了通知の受信時処理の例を示すフローチャートである。
【０１８６】
制御部２０１は、充電強制終了通知を受信すると、当該充電強制終了通知に含まれている充電装置ＩＤを抽出して取得する（ステップＳ４６１）。そして、制御部２０１は、充電要求リストから、取得した充電装置ＩＤの充電要求を判別する（ステップＳ４６２）。
【０１８７】
次に、制御部２０１は、充電要求リストから判別した充電要求の管理項目「ユニットＩＤ」から、当該充電要求している会員が利用中のパチンコ台ユニットのユニットＩＤを判別する（ステップＳ４６３）。このステップＳ４６３では、会員が会員カードは挿入しているが、パチンコ遊技を行っていないパチンコ台ユニットを判別することになる。
【０１８８】
次に、制御部２０１は、ステップＳ４６３で充電要求している会員が利用中のパチンコ台ユニットのユニットＩＤを判別することができたか否か判別する（ステップＳ４６４）。このステップＳ４６４で、前記ユニットＩＤが判別できたと判別したときには、制御部２０１は、「遊技中ではない時間が規定時間を越えたため、充電要求はキャンセルされた」旨の充電要求キャンセル表示情報を生成して、判別されたユニットＩＤのパチンコ台ユニット３２に送信する（ステップＳ４６５）。なお、この充電要求キャンセル表示情報には、「充電要求がキャンセルされたため、駐車スペースからの電気自動車の移動してください」などの、車両の移動を促すメッセージが含められるものである。
【０１８９】
次いで制御部２０１は、充電要求リストから、ステップＳ４６１で取得した充電装置ＩＤの充電要求を削除する（ステップＳ４６６）。そして、この図１９の処理ルーチンを終了する。
【０１９０】
また、ステップＳ４６４で、前記ユニットＩＤが判別できなかったと判別したときには、制御部２０１は、ステップＳ４６５をバイパスしてステップＳ４６６に進み、充電要求リストから、ステップＳ４６１で取得した充電装置ＩＤの充電要求を削除する。
【０１９１】
なお、前述もしたように、ステップＳ４６４で、前記ユニットＩＤが判別できなかったと判別したときには、制御部２０１は、会員登録情報に連絡先として携帯電話端末の電話番号やメールアドレスが登録されているか否か判別し、登録されていれば、当該携帯電話端末にメールを送ったり、電話をかけて合成音声メッセージを送ったりすることで、充電装置１が設置されている駐車スペースから、車両の移動を会員に依頼するようにしても良い。
【０１９２】
図１１に戻り、ステップＳ３１３で、充電装置１からの充電強制終了通知を受信してはいないと判別したときには、制御部２０１は、充電装置１から会員カード取り外し通知を受信したか否か判別し（ステップＳ３１５）、会員カード取り外し通知を受信したと判別したときには、会員カード取り外し通知の受信時処理を実行する（ステップＳ３１６）。このステップＳ３１６の処理終了後、制御部２０１は、処理をステップＳ３０１に戻す。
【０１９３】
図２０は、ステップＳ３１６における会員カード取り外し通知の受信時処理の例を示すフローチャートである。
【０１９４】
制御部２０１は、会員カード取り外し通知を受信すると、当該会員カード取り外し通知に含まれているパチンコ台ユニット３２のユニットＩＤを抽出して取得する（ステップＳ４７１）。そして、制御部２０１は、充電要求リストに登録されている充電要求の管理項目「ユニットＩＤ」と、取得したユニットＩＤとを比較参照する（ステップＳ４６２）。
【０１９５】
次に、制御部２０１は、充電要求リストの中にユニットＩＤが一致する充電要求があるか否か判別する（ステップＳ４７３）。このステップＳ４７３で、充電要求リストの中にユニットＩＤが一致する充電要求があると判別したときには、制御部２０１は、判別した充電要求の充電装置ＩＤを認定し、その充電装置ＩＤを有する充電装置１に対して、充電停止指示を送信する（ステップＳ４７４）。
【０１９６】
次いで制御部２０１は、充電要求リストにおいて、ステップＳ４７３で判別した充電要求の管理項目のうち、「充電ステータス」を「充電停止中」にし、「会員カード状況」を「取外し中」にすると共に、「ユニットＩＤ」のレコードを削除する（ステップＳ４７５）。そして、この図２０の処理ルーチンを終了する。
【０１９７】
また、ステップＳ４７３で、充電要求リストの中にユニットＩＤが一致する充電要求は存在しないと判別したときには、制御部２０１は、充電要求をしていない会員の会員カードの取り外し通知の受信であると判断して、そのままこの図２０の処理ルーチンを終了する。
【０１９８】
そして、図１１に戻り、ステップＳ３１５で、充電装置１からの会員カード取り外し通知を受信してはいないと判別したときには、制御部２０１は、充電装置１から充電プラグ接続解除通知を受信したか否か判別し（ステップＳ３１７）、充電プラグ接続解除通知を受信したと判別したときには、充電プラグ接続解除通知の受信時処理を実行する（ステップＳ３１８）。このステップＳ３１８の処理終了後、制御部２０１は、処理をステップＳ３０１に戻す。
【０１９９】
また、ステップＳ３１７で、充電プラグ接続解除通知を受信してはいないと判別したときにも、制御部２０１は、処理をステップＳ３０１に戻す。
【０２００】
図２１は、ステップＳ３１８における充電プラグ接続解除通知の受信時処理の例を示すフローチャートである。
【０２０１】
制御部２０１は、充電プラグ接続解除通知を受信すると、当該充電プラグ接続解除通知に含まれている充電装置ＩＤを抽出して取得する（ステップＳ４８１）。そして、制御部２０１は、充電要求リストから、ステップＳ４８１で取得した充電装置ＩＤの充電要求を削除する（ステップＳ４８２）。そして、制御部２０１は、この図２１の処理ルーチンを終了する。
【０２０２】
［第１の実施形態の効果］
以上のようにして、上述した第１の実施形態においては、会員が会員カードを充電装置１のカードリーダ・ライタにかざし、充電プラグを電気自動車の充電用コネクタに接続しただけでは充電は開始されない。会員が、会員カードをパチンコ台ユニット３２のカード挿入口から挿入して、パチンコ遊技を実行している期間だけ、充電装置により、電気自動車のバッテリーへの充電が実行される。
【０２０３】
したがって、パチンコ店の駐車場に電気自動車を駐車しただけでは、充電サービスを受けることはできず、パチンコ台でパチンコ遊技を実際に行った者のみが充電サービスを受けることができる。これにより、充電サービスを、本来の提供サービスであるパチンコ遊技の利用に直結させたプレミアサービスとすることができる充電管理システムを提供することができる。
【０２０４】
なお、パチンコ台ユニット３２のカード挿入口から会員カードが挿入されたときには、会員は、パチンコ遊技を開始することが予想されるので、制御装置２の制御部２０１は、パチンコ台ユニット３２からの会員ＩＤ２と、充電要求リストに登録した会員ＩＤ１との一致のみにより、充電サービスを開始するようにしても良い。
【０２０５】
しかし、上述の第１の実施形態では、パチンコ台ユニット３２は玉流れ検出部３０６を備え、この玉流れ検出部３０６で実際にパチンコ玉が流れていることを検出したことに基づく遊技中情報を受信したときにのみ、制御装置２は、充電サービスを開始するようにしている。これにより、より確実に、充電サービスを、本来の提供サービスであるパチンコ遊技の利用に直結させたプレミアサービスとすることができる。
【０２０６】
また、上述の実施形態では、パチンコ台ユニット３２の表示部としてのＬＣＤ３４に、充電中や充電停止中の充電状態（充電ステータス）や、どの程度充電がなされたかの充電状況が表示されるので、会員は、充電要求をした後、パチンコ台に会員を挿入してパチンコ遊技を行っているときに、それら充電状態や充電状況を容易に確認することができる。
【０２０７】
さらに、充電が完了したときには、パチンコ台ユニット３２の表示部としてのＬＣＤ３４に、その旨および車両の移動を促す表示がなされるので、会員は、車両を移動するなど、適正な処置を迅速に取ることができる。また、パチンコ店にとっても、充電が完了したときには、車両が移動されることにより、充電サービスを多数の会員に提供することが可能になるという利点がある。
【０２０８】
また、上述の実施形態では、会員が会員カードを充電装置１のカードリーダ・ライタ１２にかざして充電要求をした後、規定時間以上、パチンコ台ユニット３２のカード挿入口に挿入しなかったり、パチンコ台ユニット３２のカード挿入口に挿入してもパチンコ遊技を行っていなかったりした場合には、充電要求を強制キャンセルするようにした。そして、当該強制キャンセルを、パチンコ台ユニット３２の表示部３４に表示して報知したり、登録された会員の携帯電話端末に通知したり、アナウンスによりスピーカにより報知したりして、会員に通知することにより、充電用の駐車スペースから車両の移動を促すようにしたので、充電装置の充電サービスを適正に利用管理することができる。
【０２０９】
なお、上述の実施形態では、充電装置１で前記規定時間を計測管理して、充電強制キャンセル通知を制御装置２に送信するように構成したが、制御装置２で前記規定時間を計測管理して、充電制御するように構成することもできる。
【０２１０】
そのように構成する場合には、制御装置２は、前記規定時間を計測するタイマーを、充電要求リストに登録された各充電要求毎に設ける。そして、制御装置２の制御部２０１は、以下に説明するようなタイミングで、各タイマーの時間計測をスタートさせ、また、各タイマーの時間計測をリセットする。
【０２１１】
先ず、図１３に示した充電要求通知の受信時処理において、制御部２０１は、例えばステップＳ４０３の後のステップにおいて、ステップＳ４０３で登録された充電要求について、当該充電要求の操作がなされた後、パチンコ台ユニット３２に会員カードを挿入するまでの充電要求後時間Ｔ１を計測するために前記タイマーをスタートさせるようにする。
【０２１２】
また、図１４に示した会員カード挿入通知の受信時処理において、制御部２０１は、例えばステップＳ４１４の後のステップにおいて、ステップＳ４１４で判別された充電要求について、会員がパチンコ台ユニット３２に会員カードを挿入してからパチンコ遊技を開始するまでの時間Ｔ２を計測するために、前記タイマーをスタートさせるようにする。
【０２１３】
また、図１６に示した非遊技中情報の受信時処理において、制御部２０１は、例えばステップＳ４０７の後に、会員が継続してパチンコ遊技を実行していない時間Ｔ３を計測するために、前記タイマーをスタートさせるようにする。さらに、図２０の会員カード取り外し通知の受信時処理において、制御部２０１は、例えばステップＳ４７５の後のステップにおいて、会員カードが取り外されて、いずれのパチンコ台ユニット３２にも挿入されていない時間Ｔ４を計測するために、前記タイマーをスタートさせるようにする。
【０２１４】
そして、図１５に示した遊技中情報の受信時処理においては、制御部２０１は、例えばステップＳ４２４とステップＳ４２５との間に設けたステップにおいて、前記タイマーの計測時間Ｔ１，Ｔ２，Ｔ３，Ｔ４をゼロリセットして、前記タイマーの時間計測を停止させるようにする。
【０２１５】
そして、制御装置２の制御部２０１は、例えば一定時間周期で、各充電要求についての前記タイマーの計測時間Ｔ１，Ｔ２，Ｔ３，Ｔ４をチェックして、前記規定時間を越えたか否か判別する。そして、前記規定時間を越えたタイマーがあると判別したときには、制御部２０１は、前述した充電要求強制キャンセルの処理を実行し、当該規定時間を越えたタイマーが対応付けられている充電要求を充電要求リストから削除するようにする。
【０２１６】
［第２の実施形態］
第２の実施形態は、第１の実施形態の変形例である。以上説明した第１の実施形態においては、利用識別情報の第１の入力の例としての会員ＩＤ１は、各充電装置１に組み込まれたカードリーダ・ライタで会員カードから読み込むようにした。これに対して、この第２の実施形態では、カードリーダ・ライタは、各充電装置１とは、別個に設けられる。
【０２１７】
この第２の実施形態においては、図２２に示すように、車両の１台分の各駐車スペース６ａ，６Ｂ,・・・毎に、各充電装置１ａ，１Ｂ，・・・が設けられる。そして、各駐車スペース６ａ，６ｂ，・・・の車両の侵入口側には、車両侵入制御機構が設けられている。この第２の実施形態では、車両侵入制御機構は、各車両侵入制御バー７ａ，７ｂ，・・・と、車両侵入制御バー７ａ，７ｂ，・・・のそれぞれを駆動制御するバー駆動制御装置８ａ，８ｂ，・・・とからなる。
【０２１８】
なお、この第２の実施形態においては、制御装置２には、各充電装置１ａ，１ｂ，・・・と、各バー駆動制御装置８ａ，８ｂ，・・・との対応関係は、それらの装置ＩＤが用いられて予め記憶されている。
【０２１９】
この第２の実施形態においても、各１台の車両についての充電装置と車両侵入制御機構とからなる構成は同一であるので、図２３に、車両侵入制御バー７ａとバー駆動制御装置８ａとからなる構成を例に示し、各部の詳細に以下に説明する。
【０２２０】
この第２の実施形態では、充電装置１ａは、前述したカードリーダ・ライタ１２は備えず、また、会員ＩＤ１を含む充電要求通知を制御装置２に送信する機能は有しない。しかし、この充電装置１ａのその他の構成は、前述の第１の実施形態の充電装置１と全く同様とされる。
【０２２１】
車両侵入制御バー７ａは、バー駆動制御装置８ａに対して、図２３に示すように、バー駆動制御装置８ａ側を回動支点として、大地に対して垂直方向に回動可能に取り付けられている。そして、バー駆動制御装置８ａは、車両侵入制御バー７ａを、大地に対して垂直方向に回動駆動するバー駆動機構を備えると共に、カードリーダ・ライタ８１ａを備え、さらに、制御装置２と例えば無線ＬＡＮ４を通じて通信する機能を備えている。
【０２２２】
図２４に、バー駆動制御装置８ａの内部ハードウエア構成例を示す。すなわち、バー駆動制御装置８ａは、マイクロコンピュータで構成される制御部８０１を備える。そして、バー駆動制御装置８ａにおいては、制御部８０１が、システムバス８００を通じて、無線ＬＡＮインターフェース８０２、バー駆動機構部８０３、受信信号処理部８０４、送信信号生成部８０５、装置ＩＤ記憶部８０６、カードリーダ・ライタ８１ａ、のそれぞれと接続されている。
【０２２３】
会員が会員カードをカードリーダ・ライタ８１ａにかざすと、カードリーダ・ライタ８１ａは、会員カードに記憶されている会員ＩＤを読み込む。すると、制御部８０１は、送信信号生成部８０５において、読み込んだ会員ＩＤと、自装置ＩＤとを含む会員ＩＤ通知を無線ＬＡＮ４を通じて制御装置２に送信する。
【０２２４】
制御装置２は、会員ＩＤ通知をバー駆動制御装置８ａから受信すると、受信した会員ＩＤ通知に含まれる会員ＩＤを抽出して、会員登録情報管理部２０９で抽出した会員ＩＤが正当なものであるか否かの会員認証の判別をする。そして、制御装置２は、正当な会員ＩＤであると判別したときには正当会員通知を、また、正当な会員ＩＤではないと判別したときには、非会員通知を、無線ＬＡＮ４を通じてバー駆動制御装置８ａに返信する。
【０２２５】
バー駆動制御装置８ａは、制御装置２からの通知を受信して受信信号解析部８０４で解析し、正当会員通知を受信したと判別したときには、バー駆動機構部８０３を駆動制御して、車両侵入制御バー７ａを垂直位置まで回動させ、駐車スペースへの車両の進入を許可するようにする。また、バー駆動制御装置８ａは、受信信号解析部８０４での解析の結果、非会員通知を受信したと判別したときには、例えば図示を省略したスピーカから、「会員以外は利用できません」という音声メッセージを報知し、バー駆動機構部８０３は駆動させない。
【０２２６】
駐車スペース６ａに車両を侵入させた会員は、充電装置１ａの充電プラグ１４を、電気自動車の充電用コネクタに接続する。すると、充電装置１ａは、自充電装置ＩＤを含み、充電プラグ１４が電気自動車の充電用コネクタに接続されたことを示す充電プラグ接続通知を生成して、制御装置２に無線ＬＡＮ４を通じて送信する。
【０２２７】
制御装置２は、バー駆動制御装置８ａから正当な会員ＩＤを受信したときには、当該バー駆動制御装置８ａと対応付けられた充電装置１ａからの充電プラグ接続通知の受信を待ち、当該充電プラグ接続通知を受信したときに、その充電装置１ａの充電要求を、充電要求リストに登録するようにする。そして、その登録した充電要求の管理項目「会員ＩＤ１」に、バー駆動制御装置８ａから受信した正当な会員ＩＤを記録するようにする。
【０２２８】
第２の実施形態におけるそれ以降の動作は、第１の実施形態と同様となる。なお、バー駆動制御装置８ａは、車両侵入制御バー７ａを垂直の状態に回動させた後、車両が駐車スペース６ａに進入したかどうかを、例えば光センサなどの近接センサ（図示せず）により検知する。そして、車両が駐車スペース６ａに進入したことを確認すると、バーク駆動制御装置８ａは、車両侵入制御バー７ａを水平の状態に回動復帰させる。
【０２２９】
そして、充電が完了したときには、会員は再度、バー駆動制御装置８ａのカードリーダ・ライタ８１ａに会員カードをかざすと、車両侵入時と同様にして、制御装置２での会員認証がなされ、バー駆動制御装置８ａは、その会員認証結果に基づいて、車両侵入制御バー７ａを垂直に回動させる。これにより、会員は、車両を駐車スペース６ａから移動させることができる。
【０２３０】
この第２の実施形態においては、上述した第１の実施形態と同様の効果が得られると共に、会員以外の充電サービス用の駐車スペースへの侵入を確実に防止することができるという効果が得られる。
【０２３１】
なお、上述の第２の実施形態では、バー駆動制御装置８ａ，８ｂ，・・・のカードリーダ・ライタ８１ａ，８１ｂ，・・・で読み込んだ会員ＩＤ１が正当な会員のカードＩＤであるかどうかを制御装置２で判別するようにした。しかし、各バー駆動制御装置８ａ，８ｂ，・・・に、制御装置２の会員登録情報管理部２０９で管理している会員ＩＤを記憶する会員ＩＤ記憶部を設けて、各バー駆動制御装置８ａ，８ｂ，・・・においてカードリーダ・ライタで読み込んだ会員ＩＤ１が正当な会員のカードＩＤであるかどうかを判別するようにしても良い。その場合には、各バー駆動制御装置８ａ，８ｂ，・・・の制御部８０１は、各カードリーダ・ライタ８１ａ，８１ｂ，・・・で読み込んだ会員ＩＤ１が正当な会員のカードＩＤと判別したときにのみ、当該会員ＩＤ１を含む充電要求を制御装置２に送信するように構成できる。
【０２３２】
また、車両侵入制御機構としては、上述の例では、車両侵入制御バーと、バー駆動制御装置とを用いるようにしたが、これに限られるものではない。例えば、駐車スペースにロック板を立てて車両の進入を阻止し、また、ロック板を寝かせて車両の進入を許可する機構であってもよい。
【０２３３】
［その他の実施形態または変形例］
上述の実施形態においては、会員が実際にパチンコ遊技を実行している時間だけ、電気自動車のバッテリーの充電サービスを無料で実行するようにした。しかし、充電を実行させる条件としては、パチンコ遊技を実行している時間等の施設稼動時間以外であっても良い。また、充電サービスは有料であっても良い。
【０２３４】
例えば、会員毎に、過去に当該パチンコ店でパチンコ遊技を行った時間に応じたポイントを蓄積するようにしておき、制御装置２において、会員ＩＤ１＝会員ＩＤ２となった充電要求を検出したとき、その充電要求をした会員についてのポイントを確認して、そのポイントに応じた時間だけ充電サービスを行うようにしても良い。この際に、会員毎のポイントは、会員カードに書き込んでおいてもよいし、制御装置２の会員登録情報管理部２０９に会員ＩＤに対応して蓄積しておくようにしても良い。なお、充電サービスを実行したときには、その充電サービスの実行時間分だけ、ポイントを減じるようにする。
【０２３５】
また、制御装置２において、会員ＩＤ１＝会員ＩＤ２となった充電要求を検出したときに充電サービスを開始するようにするが、充電サービス時間に応じた料金を徴収するようにしても良い。その際に、会員がパチンコ遊技を実行した遊技時間を、玉流れ検出部３０６の出力に基づいて計測しておき、当該遊技実行時間分の充電時間は無料とするようにしても良い。
【０２３６】
なお、玉流れ検出部３０６の検出出力に基づいて生成して制御装置２に送信される遊技中情報または非遊技中情報は、遊技中または非遊技中に一定時間毎に生成して送信しても良いし、玉流れ検出部３０６で、パチンコ玉が流れていない状態から玉流れを検出したときに遊技中情報を生成して制御装置２に送信し、パチコン玉が流れている状態から玉流れが検出で着なくなったときに非遊技中情報を生成して制御装置２に送信するようにしても良い。
【０２３７】
なお、上述の実施形態では、複数個の充電装置に対して１台の制御装置２で充電サービスを制御する構成としたが、制御装置２は、各充電装置に内蔵するようにしても良い。その場合には、制御装置は、自分が内蔵される充電装置の充電要求を管理すればよいので、複数台の充電装置を管理するための充電要求リストを生成して管理する必要は無い。
【０２３８】
ただし、その場合においては、各充電装置に内蔵される制御装置２は、それぞれ、複数個のパチンコ台ユニット３２と通信する必要が生じ、構成が複雑になる。そこで、パチンコ店において当該複数個のパチンコ台ユニット３２の状態を管理するパーソナルコンピュータが存在している場合には、そのパーソナルコンピュータと、各充電装置に内蔵される制御装置２とで通信を行うようにすればよい。
【０２３９】
なお、上述の実施形態は、充電装置が設けられている施設がパチンコ店であり、施設装置は、パチンコ台（パチンコ台ユニット）である場合であるが、この発明が適用可能な施設は、これに限らないことは言うまでもない。また、充電サービスを受けることができる利用者は、会員登録された会員に限られるものでもない。
【０２４０】
例えば、充電装置が設けられている施設が映画館や劇場などであって、その入場チケットに例えば２次元バーコードを利用識別情報として印刷されている場合において、当該施設に付随する駐車場に設置された充電装置で電気自動車のバッテリーの充電サービスを受ける場合に適用することができる。
【０２４１】
すなわち、この場合には、利用者は、電気自動車を駐車場に乗り入れ、入場チケットに印刷されているバーコードを、充電装置やバー駆動制御装置に設けられているバーコードリーダで読み込ませる。すると、充電装置やバー駆動制御装置は、読み込んだ利用識別情報（利用識別情報の第１の入力）を充電要求として制御装置２に送る。制御装置２は、その充電要求を、充電装置ＩＤおよび利用識別情報の第１の入力と対応付けて充電要求リストに登録する。
【０２４２】
その後、利用者は、映画館や劇場の入場口に設置されている入場用装置のバーコードリーダで、入場チケットに印刷されているバーコードを読み込ませて、入場するようにする。すると、入場用装置は、読み込んだ利用識別情報（利用識別情報の第２の入力）を、制御装置２に送信する。制御装置２は、充電要求リストに登録されている充電要求に対応付けられている利用識別情報の第１の入力と、利用識別情報の第２の入力との一致を確認して、充電装置ＩＤで識別される充電装置に充電開始指示を送って充電サービスを実行させるようにする。
【０２４３】
この例の場合には、利用識別情報の第２の入力をすることが、施設の直接的な利用になるので、上述の第１および第２の実施形態における玉流れ検出部のような施設稼動情報を用いた制御は不要である。なお、入場チケットは、紙のチケットではなく、携帯電話端末などに画像情報として格納したものを用いることができることは言うまでもない。
【０２４４】
また、以上は、バッテリー駆動装置が電気自動車の場合であるが、バッテリー駆動装置は、電気自動車や電動車両に限られるものではない。例えば、小型携帯パソコンや、携帯電話端末などのバッテリー駆動の電子装置の充電サービスにもこの発明は適用可能であり、その他種々のバッテリー駆動装置の充電サービスを行う場合にも、この発明は適用可能である。
【０２４５】
なお、利用識別情報は、上述した会員ＩＤやバーコードなどに限られるものではなく、識別情報として利用可能なものであれば、どのような形態のものであっても良い。
【０２４６】
また、利用識別情報は、施設の運営者がＷＥＢサイトや携帯電話サイトなどから利用者にダウンロードすることにより提供するようにしても良い。その場合、利用者は携帯電話端末などの携帯端末に利用識別情報を格納しておき、施設に設けられた例えば充電装置やバー駆動制御装置などに設けられた利用識別情報の読み取り機で、例えば電磁誘導などの非接触通信により当該利用識別情報を読み取らせるようにすればよい。
【符号の説明】
【０２４７】
１…充電装置、２…制御装置、３…パチンコ台、１２…カードリーダ・ライタ、１４…充電プラグ、３２…パチンコ台ユニット、３４…ＬＣＤ（表示部）
【図１】
0005552689.tif 000002
【図２】
0005552689.tif 000003
【図３】
0005552689.tif 000004
【図４】
0005552689.tif 000005
【図５】
0005552689.tif 000006
【図６】
0005552689.tif 000007
【図７】
0005552689.tif 000008
【図８】
0005552689.tif 000009
【図９】
0005552689.tif 000010
【図１０】
0005552689.tif 000011
【図１１】
0005552689.tif 000012
【図１２】
0005552689.tif 000013
【図１３】
0005552689.tif 000014
【図１４】
0005552689.tif 000015
【図１５】
0005552689.tif 000016
【図１６】
0005552689.tif 000017
【図１７】
0005552689.tif 000018
【図１８】
0005552689.tif 000019
【図１９】
0005552689.tif 000020
【図２０】
0005552689.tif 000021
【図２１】
0005552689.tif 000022
【図２２】
0005552689.tif 000023
【図２３】
0005552689.tif 000024
【図２４】
0005552689.tif 000025